(57)【特許請求の範囲】
【請求項１】
サービング・ネットワークコントローラのサービスを受ける無線ネットワークに対するリソース割当てのための権限を、前記サービング・ネットワークコントローラから移譲する候補ネットワークコントローラを、装置によって選択すること、ただし、前記候補ネットワークコントローラの選択は、１つ以上の選択基準に基づいており、前記１つ以上の選択基準には前記候補ネットワークコントローラがサービスする無線ネットワークの数が含まれている、前記選択することと；
前記１つ以上の選択基準に基づいて前記サービング・ネットワークコントローラのサービスを受ける無線ネットワークに対するリソース割当てのための権限移譲を行うために、前記装置によって、選択された候補ネットワークコントローラにリクエストを送信することと；
前記選択された候補ネットワークコントローラが前記権限を受け取ることを示した場合、前記装置によって前記サービング・ネットワークコントローラに、前記サービング・ネットワークコントローラのサービスを受ける無線ネットワークに対するリソース割当てのための前記権限を放棄させることと；
を含む、方法。
【請求項２】
前記１つ以上の選択基準には、共存セットにおける無線ネットワークのうち最多数の無線ネットワークをサービスする候補ネットワークコントローラが含まれ、ここで前記共存セットは、無線ネットワークであって、その１つが別の無線ネットワークに干渉する、または別の無線ネットワークによって干渉を受ける場合がある無線ネットワークから成る、
請求項１に記載の方法。
【請求項３】
前記１つ以上の選択基準には、共存セット及び拡張共存セットの組合せにおける無線ネットワークのうち最多数の無線ネットワークをサービスする候補ネットワークコントローラが含まれ、ここで前記共存セットは、無線ネットワークであって、その１つが別の無線ネットワークに干渉する、または別の無線ネットワークから干渉を受ける場合がある無線ネットワークから成り、前記拡張共存セットは、無線ネットワークであって、その１つが前記共存セット内の別の無線ネットワークに干渉する、または前記共存セット内の別の無線ネットワークから干渉を受ける場合がある無線ネットワークから成る、
請求項１に記載の方法。
【請求項４】
前記１つ以上の選択基準には、共存セットにおける無線ネットワークのうち少なくとも１つの無線ネットワークをサービスする候補ネットワークコントローラが含まれ、ここで前記共存セットは、無線ネットワークであって、その１つが別の無線ネットワークに干渉する、または別の無線ネットワークによって干渉を受ける場合がある無線ネットワークから成る、
請求項１に記載の方法。
【請求項５】
前記１つ以上の選択基準には、共存セット及び拡張共存セットの少なくとも１つにおける無線ネットワークのうち最多数の無線ネットワークをサービスする候補ネットワークコントローラが含まれ、ここで前記共存セットは、無線ネットワークであって、その１つが別の無線ネットワークに干渉する、または別の無線ネットワークから干渉を受ける場合がある無線ネットワークから成り、前記拡張共存セットは、無線ネットワークであって、その１つが前記共存セット内の無線ネットワークに干渉する、または、前記共存セット内の無線ネットワークから干渉を受ける場合がある無線ネットワークから成り、
さらに、前記共存セット及び前記拡張共存セットの少なくとも一方にある前記候補ネットワークコントローラのサービスを受ける無線ネットワークは、無線ネットワークの技術と類似する無線アクセステクノロジーを用いて動作する、
請求項１に記載の方法。
【請求項６】
前記１つ以上の選択基準に含まれる前記候補ネットワークコントローラは、前記サービング・ネットワークコントローラとビジネス上の関係を有する、請求項１に記載の方法。
【請求項７】
前記１つ以上の選択基準に含まれる前記サービング・ネットワークコントローラは、追加的な無線ネットワークに対して機能するために十分なリソースを有していない、請求項１に記載の方法。
【請求項８】
前記１つ以上の選択基準に含まれる前記候補ネットワークコントローラは、前記サービング・ネットワークコントローラの使用する共存決定アルゴリズムと同一の前記共存決定アルゴリズムを使用する、請求項１に記載の方法。
【請求項９】
サービング・ネットワークコントローラのサービスを受ける無線ネットワークに対するリソース割当てのための権限を、前記サービング・ネットワークコントローラから移譲する候補ネットワークコントローラを選択する手段、ただし、前記候補ネットワークコントローラの選択は１つ以上の選択基準に基づいており、前記１つ以上の選択基準には前記候補ネットワークコントローラがサービスする無線ネットワークの数が含まれている、前記選択する手段と；
選択された候補ネットワークコントローラにリクエストを送信し、前記１つ以上の選択基準に基づいて前記サービング・ネットワークコントローラのサービスを受ける無線ネットワークに対するリソース割当てのための権限移譲を行う手段と；
前記選択された候補ネットワークコントローラが前記権限を受け取ることを示した場合、前記サービング・ネットワークコントローラに、前記サービング・ネットワークコントローラのサービスを受ける無線ネットワークに対するリソース割当てのための前記権限を放棄させる手段と；
を備える、装置。
【請求項１０】
前記サービング・ネットワークコントローラである、請求項９に記載の装置。
【請求項１１】
共存発見情報サーバである、請求項９に記載の装置。
【請求項１２】
前記サービング・ネットワークコントローラのサービスを受ける無線ネットワークのコントロールノードである、請求項９に記載の装置。
【請求項１３】
前記１つ以上の選択基準には、共存セットにおける無線ネットワークのうち最多数の無線ネットワークをサービスする候補ネットワークコントローラが含まれ、ここで前記共存セットは、無線ネットワークであって、その１つが別の無線ネットワークに干渉する、または別の無線ネットワークによって干渉を受ける場合がある無線ネットワークから成る、
請求項９に記載の装置。
【請求項１４】
前記１つ以上の選択基準には、共存セット及び拡張共存セットの組合せにおける無線ネットワークのうち最多数の無線ネットワークをサービスする候補ネットワークコントローラが含まれ、ここで前記共存セットは、無線ネットワークであって、その１つが別の無線ネットワークに干渉する、または別の無線ネットワークから干渉を受ける場合がある無線ネットワークから成り、前記拡張共存セットは、無線ネットワークであって、その１つが前記共存セット内の無線ネットワークに干渉する、または前記共存セット内の別の無線ネットワークから干渉を受ける場合がある無線ネットワークから成る、
請求項９に記載の装置。
【請求項１５】
前記１つ以上の選択基準には、共存セット及び拡張共存セットの少なくとも１つにおける無線ネットワークのうち最多数の無線ネットワークをサービスする候補ネットワークコントローラが含まれ、ここで前記共存セットは、無線ネットワークであって、その１つが別の無線ネットワークに干渉する、または別の無線ネットワークによって干渉を受ける場合がある無線ネットワークから成る、
請求項９に記載の装置。
【請求項１６】
前記１つ以上の選択基準には、共存セット及び拡張共存セットの少なくとも１つにおける無線ネットワークのうち最多数の無線ネットワークをサービスする候補ネットワークコントローラが含まれ、ここで共存セットは、無線ネットワークであって、その１つが別の無線ネットワークに干渉する、または別の無線ネットワークから干渉を受ける場合がある無線ネットワークから成り、前記拡張共存セットは、無線ネットワークであって、その１つが前記共存セット内の無線ネットワークに干渉する、または前記共存セット内の無線ネットワークから干渉を受ける場合がある無線ネットワークから成り、
さらに、前記共存セット及び前記拡張共存セットの少なくとも一方にある前記候補ネットワークコントローラのサービスを受ける無線ネットワークは、無線ネットワークの技術と類似する無線アクセステクノロジーを用いて動作する、
請求項９に記載の装置。
【請求項１７】
前記１つ以上の選択基準に含まれる前記候補ネットワークコントローラは、前記サービング・ネットワークコントローラとビジネス上の関係を有する、請求項９に記載の装置。
【請求項１８】
前記１つ以上の選択基準に含まれる前記サービング・ネットワークコントローラは、追加的な無線ネットワークに対して機能するために十分なリソースを有していない、請求項９に記載の装置。
【請求項１９】
前記１つ以上の選択基準に含まれる前記候補ネットワークコントローラは、前記サービング・ネットワークコントローラの使用する共存決定アルゴリズムと同一の前記共存決定アルゴリズムを使用する、請求項９に記載の装置。
【請求項２０】
処理手段及び記憶手段を有する装置であって、前記記憶手段はプログラム命令を格納し、該プログラム命令は、前記処理手段に実行されると、前記装置に請求項１から８のいずれかに記載の方法を遂行させるように構成される、装置。
【請求項２１】
装置の処理手段に実行されると、前記装置に請求項１から８のいずれかに記載の方法を遂行させるように構成されるプログラム命令を備える、コンピュータプログラム。
【発明の詳細な説明】
【分野】
【０００１】
本発明の分野は無線スペクトルの効率的な使用に関し、より詳細には、ＲＦスペクトルにおける二次的利用者の共存を管理することに関する。
【背景】
【０００２】
多くの国において、電磁波スペクトルにおける無線周波数帯域の使用は、政府によって規制されている。個々の帯域は特定のタイプについて使用するように割り当てられており、ラジオやテレビ放送、セルラ電話や携帯ネットワークのような商業的な用途のために帯域のライセンスを出している。例えば、ＣＤＭＡ２０００やＷＣＤＭＡ(登録商標)、ＨＳＰＡ、ＬＴＥ、ＩＭＴのためにライセンスされている。他にも、海洋ラジオ、警察、消防、公共の安全のためのラジオ、ＧＰＳ、電波天文観測、衛星通信のための地上基地局、その他多くの用途のために帯域が割り当てられている。政府はまた、ライセンスの不要な帯域の割り当ても行っている。例えば、田舎の地方におけるブロードバンドアクセスのための無線地域ネットワーク（ＷＲＡＮ；Wireless Regional Area Network）や無線ＬＡＮ（ＷＬＡＮ）、工業的又は科学的な使用のための無線パーソナルエリアネットワーク（ＷＰＡＮ）、医療用バンド（ＩＳＭバンド）などである。
【０００３】
アメリカ合衆国においては、連邦通信委員会（ＦＣＣ；Federal Communications Commission）が、ラジオやテレビの放送を含む無線スペクトルの使用を調整している。帯域の計画に従って各周波数が割り当てられ、割り当てられた無線帯域の間には、隣接する信号との干渉を防止するためのカードバンド（保護周波数帯域）が割り当てられる。スペクトルの中には、これまで一度も使用されたことがないか、又は技術の変化の結果として使用されなくなったために、割り当てられていない周波数帯域も存在する。割り当てられていない周波数や使用されていない周波数は、地方によって局所的に存在している場合もあり、それらの周波数は他の場所では何がしかの用途に割り当てられていたりする。割り当てられていない周波数帯域やカードバンドはホワイトスペースと呼ばれる。
【０００４】
ライセンスを受けたサービスにより使用されていないテレビ放送用のスペクトルは、一般的に、テレビ帯ホワイトスペースと呼ばれている。テレビ帯ホワイトスペースには、出ている少なくとも二つのカテゴリーが存在する。そのうちの一つは、ＦＣＣが以前にアナログ放送用にライセンス不要で使えるように割り当てられたスペクトル部分で、専用テレビ帯ホワイトスペース（Dedicated TV white space）と呼ばれる。もう一つは、ライセンスを受けたテレビ放送事業者によって、ある地域において局所的に使用されていないスペクトルである。
【０００５】
［１］専用テレビ帯ホワイトスペース：ＦＣＣは、連邦政府によって強制されたアナログテレビ放送からデジタルテレビ放送への移行のあとに使用されなくなった周波数帯域のうち、使用のためにライセンスが不要なホワイトスペースとして、およそ４００ＭＨｚを提供した。しかしＦＣＣは、ホワイトスペースのライセンス不要な使用が既存のライセンスを要する使用と干渉を引き起こすことを禁止した。既存のライセンスを要する使用とは、例えば、デジタルテレビ局や低出力テレビ局、ケーブルテレビのヘッドエンド、低出力のワイヤレスマイクを使用するサイトなどである。アナログテレビの終了により残されたホワイトスペースのライセンス不要な用途のために、様々な提案が出されている。例えば、地方のためのブロードバンドの展開や、公共の安全のための通信の予備に使用すること、教育用又は事業用のビデオ会議、消費者のためのアプリケーション、メッシュネットワーク、安全のためのアプリケーション、地方自治体のブロードバンドアクセス、局所的な通信可能範囲や通信の強化、固定されたアップリンク、スマートグリッドの計測器のデータを読むためのセンサを集約すること、などである。
【０００６】
［２］ライセンスを受けたテレビ放送事業者によって局所的に使用されていないスペクトル：ＦＣＣは、ライセンスを受けた放送業者が使用していないスペクトル領域において、ブロードバンドテレビスペクトル帯の中でライセンス不要の無線送信機が動作することを許すルールを投入した。ＦＣＣは、ライセンス不要の無線送信機が使用可能なチャネルを見つける方法として、二つのメカニズムを提案している。その一つは地理的位置とデータベースに基づくアプローチであり、もう一つはスペクトルの計測に基づくアプローチである。ライセンス不要の送信機は、これらのうちいずれか一つのメカニズムを使用することが必要である。ＦＣＣは、ライセンス不要の送信機が位置を確立するための地理的位置情報と、ライセンスされた放送業者が使用しており彼らの地理的なサービスエリアにより管理されているテレビ帯のデータベースとを使用して、ライセンス不要の送信機が、どこで局所的なテレビ帯ホワイトスペースを利用可能であるかを知ることができるようにすること提案している。ＦＣＣは、ライセンス不要の送信機がスペクトルセンサを使用して、ローカルなテレビ帯の中の現在の優先テレビ事業者の信号を検出し、ライセンス不要の送信機が帯域を使用することをすぐにやめることができるようにすることを提案している。ローカルテレビ帯域の優先使用者は、その帯域を使用することについてライセンスを受けている現在テレビ事業者である。しかし、ある地理的領域において、現在ライセンスを受けて事業を行っているテレビ放送業者がいない場合、ライセンスを受けていないその他のユーザがその帯域を活用するするかもしれない。テレビ帯にはまた、ＰＭＳＥ（Program Making and Special Events）システムなど、一般のユーザが干渉すべきでない既存の使用が存在する場合もある。
【０００７】
アメリカ合衆国以外の国においても、テレビ帯ホワイトスペースにおけるライセンス不要の二次的な利用を可能にすることについての議論が行われている。その要求は国によって少しずつ異なっており、例えばアメリカ合衆国においては、ライセンス不要のデバイスの最大送信出力はデバイスの種類によって決まっているが、ヨーロッパでは、場所に応じた最大送信出力が考慮されてきた。この場合、ライセンス不要なデバイスに許される最大送信出力は、デバイスの地理的位置に依存することになり、例えば、優先利用者からの距離に依存することになる。エミッションマスク（Emission mask）やACLR（Adjacent Channel Leakage Ratio）などのデバイスの特性も、許される最大送信出力に影響を及ぼす場合もある。
【０００８】
無線スペクトルのホワイトスペースには他のものもある。ある地理的範囲においてローカルに使用されていない無線スペクトルがあり、例えば、海上無線のために割り当てられた周波数帯域であって、海洋から離れた陸地に囲まれた水域における周波数帯域がそのようなものの例である。海上無線帯域の優先利用者は、その帯域でサービスを提供することを許可された海上無線局であろうが、ライセンスを受けた海上無線事業者が存在しないような地理的範囲においては、ライセンスを受けていない二次的なユーザがその帯域を活用するかもしれない。同様に、局所的に使用されていないホワイトスペースが、特定の地理的範囲に存在するかもしれない。例えば、衛星通信のために送信を行う地上基地局のために割り当てられている2.025GHzから2.110GHzの周波数帯域は、これらの地上基地局から離れた領域ではそのようなホワイトスペースである。このような地上基地局の無線帯域の優先利用者は、その帯域で動作することをライセンスされた地上基地局であろうが、そのような地理的領域では、動作している衛星地上基地局は存在せず、ライセンスを受けていない別の二次的利用者がその帯域を活用するかもしれない。ライセンスを受けていないスキームの他にも、スペクトルの二次的利用のためのスキームが存在するかもしれない。例えばライセンス、政府により定められるポリシ、認識原理、認可共有アクセスに基づくスキームなどが存在してもよい。
【摘要】
【０００９】
ＲＦスペクトルにおける二次的利用者の共存を管理するための方法、装置、コンピュータプログラムの具現化形態を開示する。
【００１０】
本発明の例示的実施形態は、次のような方法を含む。この方法は：
サービング・ネットワークコントローラのサービスを受ける無線ネットワークに対するリソース割当てのための権限を、前記サービング・ネットワークコントローラから移譲する候補ネットワークコントローラを、装置によって選択すること、ただし、前記候補ネットワークコントローラの選択は、１つ以上の選択基準に基づいており、前記１つ以上の選択基準には前記候補ネットワークコントローラのサービスを受ける１つ以上の無線ネットワークの特性が含まれている、前記選択することと；
前記１つ以上の選択基準に基づいて前記無線ネットワークに対するリソース割当てのための権限移譲を行うために、前記装置によって、選択された候補ネットワークコントローラにリクエストを送信することと； 
前記選択された候補ネットワークコントローラが前記権限を受け取ることを示した場合、前記装置によって前記サービング・ネットワークコントローラに、前記無線ネットワークに対するリソース割当てのための前記権限を放棄させることと；
を含む。
【００１１】
本発明の例示的実施形態は、前記１つ以上の選択基準が、前記候補ネットワークコントローラを含む方法を含む。ただし、前記１つ以上の選択基準に含まれる前記候補ネットワークコントローラは、無線ネットワークの共存セットにおいて最も多くの無線ネットワークのために機能する。前記共存セットの無線ネットワークは他の無線ネットワークに干渉を与え、また、前記他の無線ネットワークによって干渉を受ける場合がある。
【００１２】
本発明の例示的実施形態は、前記１つ以上の選択基準が、前記候補ネットワークコントローラを含む方法を含む。ただし、前記１つ以上の選択基準に含まれる前記候補ネットワークコントローラは共存セット及び拡張共存セット内で最も多くの無線ネットワークのために機能する。ここで前記共存セットは複数の無線ネットワークから成り、前記共存セットを構成する無線ネットワークは他の無線ネットワークに干渉を与え、また、前記他の無線ネットワークから干渉を受ける場合がある。さらに、前記拡張共存セットは複数の無線ネットワークから成り、前記拡張共存セットを構成する無線ネットワークは前記共存セットを構成する無線ネットワークに干渉を与え、または、前記共存セットを構成する無線ネットワークから干渉を受ける場合がある。
【００１３】
本発明の例示的実施形態は、前記１つ以上の選択基準が、前記候補ネットワークコントローラを含む方法を含む。ただし、前記１つ以上の選択基準に含まれる前記候補ネットワークコントローラは、無線ネットワークの共存セットにおいて少なくとも１つの無線ネットワークのために機能する。前記共存セットの無線ネットワークは他の無線ネットワークに干渉を与え、また、前記他の無線ネットワークによって干渉を受ける場合がある。
【００１４】
本発明の例示的実施形態は、前記１つ以上の選択基準が前記候補ネットワークコントローラを含む方法を含む。ただし、前記１つ以上の選択基準に含まれる前記候補ネットワークコントローラは、共存セット及び拡張共存セットの少なくとも一方で、最も多くの無線ネットワークのために機能する。ここで前記共存セットは複数の無線ネットワークから成り、前記共存セットを構成する無線ネットワークは他の無線ネットワークに干渉を与え、また、前記他の無線ネットワークから干渉を受ける場合がある。また前記拡張共存セットは複数の無線ネットワークから成り、前記拡張共存セットを構成する無線ネットワークは前記共存セットを構成する無線ネットワークに干渉を与え、または、前記共存セットを構成する無線ネットワークから干渉を受ける場合がある。さらに、前記共存セット及び前記拡張共存セットの少なくとも一方にある、前記候補ネットワークコントローラのサービスを受ける前記無線ネットワークは、無線ネットワークの技術と類似する無線アクセステクノロジーを用いて動作する。
【００１５】
本発明の例示的実施形態に含まれる方法によっては、前記１つ以上の選択基準に含まれる前記候補ネットワークコントローラは、前記サービング・ネットワークコントローラとビジネス上の関係を有する。
【００１６】
本発明の例示的実施形態に含まれる方法によっては、前記１つ以上の選択基準に含まれる前記サービング・ネットワークコントローラは、追加的な無線ネットワークに対して機能するために十分なリソースを有していない。
【００１７】
本発明の例示的実施形態に含まれる方法によっては、前記１つ以上の選択基準に含まれる前記候補ネットワークコントローラは、前記サービング・ネットワークコントローラの使用する共存決定アルゴリズムと同一の前記共存決定アルゴリズムを使用する。
【００１８】
本発明の例示的実施形態は、次のような装置を含む。この装置は、少なくとも１つのプロセッサと、コンピュータプログラムコードを含む少なくとも一つのメモリとを備え、前記少なくとも一つのメモリ及び前記プログラムコードが、前記少なくとも一つのプロセッサと共に、前記装置に、少なくとも、
サービング・ネットワークコントローラのサービスを受ける無線ネットワークに対するリソース割当てのための権限を、前記サービング・ネットワークコントローラから移譲する候補ネットワークコントローラを、装置によって選択すること、ただし、前記候補ネットワークコントローラの選択は、１つ以上の選択基準に基づいており、前記１つ以上の選択基準には前記候補ネットワークコントローラのサービスを受ける１つ以上の無線ネットワークの特性が含まれている、前記選択することと；
前記１つ以上の選択基準に基づいて前記無線ネットワークに対するリソース割当てのための権限移譲を行うために、前記装置によって、選択された候補ネットワークコントローラにリクエストを送信することと； 
前記選択された候補ネットワークコントローラが前記権限を受け取ることを示した場合、前記装置によって前記サービング・ネットワークコントローラに、前記無線ネットワークに対するリソース割当てのための前記権限を放棄させることと；
を遂行させる。
【００１９】
本発明の例示的実施形態に含まれる装置によっては、該装置は、サービング・ネットワークコントローラである。
【００２０】
本発明の例示的実施形態に含まれる装置によっては、該装置は、共存発見情報サーバである。
【００２１】
本発明の例示的実施形態に含まれる装置によっては、該装置は、無線ネットワークのコントロールノードである。
【００２２】
本発明の例示的実施形態に含まれる装置によっては、前記１つ以上の選択基準は前記候補ネットワークコントローラを含む。ただし前記１つ以上の選択基準に含まれる前記候補ネットワークコントローラは、無線ネットワークの共存セットにおいて最も多くの無線ネットワークのために機能する。前記共存セットの無線ネットワークは他の無線ネットワークに干渉を与え、また、前記他の無線ネットワークによって干渉を受ける場合がある。
【００２３】
本発明の例示的実施形態に含まれる装置によっては、前記１つ以上の選択基準は前記候補ネットワークコントローラを含む。ただし前記１つ以上の選択基準に含まれる前記候補ネットワークコントローラは、共存セット及び拡張共存セット内で最も多くの無線ネットワークのために機能する。また前記共存セットは複数の無線ネットワークから成り、前記共存セットを構成する無線ネットワークは他の無線ネットワークに干渉を与え、また、前記他の無線ネットワークから干渉を受ける場合がある。さらに前記拡張共存セットは複数の無線ネットワークから成り、前記拡張共存セットを構成する無線ネットワークは前記共存セットを構成する無線ネットワークに干渉を与え、または、前記共存セットを構成する無線ネットワークから干渉を受ける場合がある。
【００２４】
本発明の例示的実施形態に含まれる装置によっては、前記１つ以上の選択基準は前記候補ネットワークコントローラを含む。ただし前記１つ以上の選択基準に含まれる前記候補ネットワークコントローラは、無線ネットワークの共存セットにおいて少なくとも１つの無線ネットワークのために機能する。前記共存セットの無線ネットワークは他の無線ネットワークに干渉を与え、また、前記他の無線ネットワークによって干渉を受ける場合がある。
【００２５】
本発明の例示的実施形態に含まれる装置によっては、前記１つ以上の選択基準は前記候補ネットワークコントローラを含む。ただし前記１つ以上の選択基準に含まれる前記候補ネットワークコントローラは、共存セット及び拡張共存セットの少なくとも一方で、最も多くの無線ネットワークのために機能する。また前記共存セットは複数の無線ネットワークから成り、前記共存セットを構成する無線ネットワークは他の無線ネットワークに干渉を与え、また、前記他の無線ネットワークから干渉を受ける場合がある。さらに、前記拡張共存セットは複数の無線ネットワークから成り、前記拡張共存セットを構成する無線ネットワークは前記共存セットを構成する無線ネットワークに干渉を与え、または、前記共存セットを構成する無線ネットワークから干渉を受ける場合があり、さらに、前記共存セット及び前記拡張共存セットの少なくとも一方にある前記候補ネットワークコントローラのサービスを受ける前記無線ネットワークは、無線ネットワークの技術と類似する無線アクセステクノロジーを用いて動作する、装置。
【００２６】
本発明の例示的実施形態によっては、前記１つ以上の選択基準に含まれる前記候補ネットワークコントローラは、前記サービング・ネットワークコントローラとビジネス上の関係を有する。
【００２７】
本発明の例示的実施形態によっては、前記１つ以上の選択基準に含まれる前記サービング・ネットワークコントローラは、追加的な無線ネットワークに対して機能するために十分なリソースを有していない。
【００２８】
本発明の例示的実施形態に含まれる装置によっては、前記１つ以上の選択基準に含まれる前記候補ネットワークコントローラは、前記サービング・ネットワークコントローラの使用する共存決定アルゴリズムと同一の前記共存決定アルゴリズムを使用する。
【００２９】
本発明の例示的実施形態は、コンピュータ読み取り可能な非一時的記憶媒体に記録されたコンピュータ実行可能なプログラムコードを備えるコンピュータプログラム製品を含む。このコンピュータ実行可能なプログラムコードは：
【００３０】
サービング・ネットワークコントローラのサービスを受ける無線ネットワークに対するリソース割当てのための権限を、前記サービング・ネットワークコントローラから移譲する候補ネットワークコントローラを、装置によって選択すること、ただし、前記候補ネットワークコントローラの選択は、１つ以上の選択基準に基づいており、前記１つ以上の選択基準には前記候補ネットワークコントローラのサービスを受ける１つ以上の無線ネットワークの特性が含まれている、前記選択することと；
【００３１】
前記１つ以上の選択基準に基づいて前記無線ネットワークに対するリソース割当てのための権限移譲を行うために、前記装置によって、前記選択された候補ネットワークコントローラにリクエストを送信することと；
【００３２】
前記選択された候補ネットワークコントローラが前記権限を受け取ることを示した場合、前記装置によって、前記サービング・ネットワークコントローラに、前記無線ネットワークに対するリソース割当てのための前記権限を放棄させることと；を遂行させるように構成される、コンピュータプログラム製品。
【００３３】
本発明の例示的実施形態は、無線スペクトルにおける二次的利用者の共存を管理する。
【図面の簡単な説明】
【００３４】
【図１Ａ】本発明の例示的な実施形態によるシステム構成概略図であり、３つのネットワークコントローラまたは共存マネージャ（ＣＭ＿Ａ、ＣＭ＿Ｂ，ＣＭ＿Ｃ）を描写している。これらはそれぞれ、各自の無線ネットワークまたはホワイトスペースオブジェクト（ＷＳＯｓ）Ａ１，Ｂ１，及びＣ１／Ｃ２に対するホワイトスペーススペクトルのリソース割当てを管理している。また、Ａ１，Ｂ１，及びＣ１／Ｃ２は互いに隣接している。ネットワークコントローラＣＭ＿Ａは、トランスファー無線ネットワークＡ１に対するリソース割当てのための権限移譲を必要とする。ネットワークコントローラＣＭ＿Ａは、トランスファー無線ネットワークＡ１のために機能する。本発明の例示的な実施形態に従うと、サービング・ネットワークコントローラＣＭ＿Ａは、トランスファー無線ネットワークＡ１に対するリソース割当てのための権限移譲がされる、候補ネットワークコントローラＣＭ＿Ｃを選択する。この選択は、１つ以上の選択基準に基づくものであり、本発明の例示的な実施形態においては、候補ネットワークコントローラＣＭ＿Ｃが機能する１つ以上の無線ネットワークＣ１及びＣ２の特性が含まれている。
【図１Ｂ】本発明の例示的な実施形態による例示的なシステム構成であり、図１Ａの２つのネットワークコントローラＣＭ＿Ａ及びＣＭ＿Ｃを示している。本発明の例示的な実施形態において、これらのコントローラは、互いに隣接する個別の無線ネットワークＡ１及びＣ１／Ｃ２のために機能する。
【図１Ｃ】本発明の例示的な実施形態による例示的なネットワーク概略図であり、無線ネットワークＡ１に隣接する無線ネットワークＢ１，Ｃ１，及びＣ２の共存セットＡの簡略図を示している。ここで、本発明の例示的な実施形態では、３つのネットワークコントローラＣＭ＿Ａ，ＣＭ＿Ｂ，及びＣＭ＿Ｃは、それぞれ、１つ以上の無線ネットワークＡ１，Ｂ１，及びＣ１／Ｃ２各々に関するホワイトスペーススペクトルのリソース割当てを管理する。
【図１Ｄ】本発明の例示的な実施形態による例示的なネットワーク概略図であり、無線ネットワークＡ１に隣接する無線ネットワークＢ１及びＣ１に隣接する無線ネットワークＤ１及びＥ１の拡張共存セットＡ'の簡略図を示している。ここで、本発明の例示的な実施形態では、３つのネットワークコントローラＣＭ＿Ａ，ＣＭ＿Ｂ，及びＣＭ＿Ｃは、それぞれ、１つ以上の無線ネットワークＡ１，Ｂ１，及びＣ１／Ｃ２各々に関するホワイトスペーススペクトルのリソース割当てを管理し、２つのネットワークコントローラＣＭ＿Ｄ及びＣＭ＿Ｅは、それぞれ、１つ以上の無線ネットワークＤ１及びＥ１各々に関するホワイトスペーススペクトルのリソース割当てを管理する。
【図１Ｅ】本発明の例示的な実施形態による例示的なネットワーク概略図である。本発明の例示的な実施形態において、サービング・ネットワークコントローラＣＭ＿Ａは最初のリクエストを第一候補ネットワークコントローラＣＭ＿Ｂに送信し、拒否応答を受信する。そして、サービング・ネットワークコントローラＣＭ＿Ａは、次のリクエストを第二候補ネットワークコントローラＣＭ＿Ｃに送信し、肯定応答を受信する。さらに、第二候補ネットワークコントローラＣＭ＿Ｃは、新規な構成を表す共存発見情報サーバ（coexistence discovery and information server；ＣＤＩＳ）に表示を送信する。
【図１Ｆ】本発明の例示的な実施形態による例示的なネットワーク概略図である。本発明の例示的な実施形態において、サービング・ネットワークコントローラＣＭ＿Ａは、リクエストを共存発見情報サーバ（ＣＤＩＳ）に送信する。そして、ＣＤＩＳは前記リクエストを第一候補ネットワークコントローラＣＭ＿Ｂに送信し、拒否応答を受信する。続いて、ＣＤＩＳは、次のリクエストを第二候補ネットワークコントローラＣＭ＿Ｃに送信し、肯定応答を受信する。続いて、ＣＤＩＳは、サービング・ネットワークコントローラＣＭ＿Ａに確認メッセージを送信する。サービング・ネットワークコントローラＣＭ＿Ａは、選択された候補ネットワークコントローラＣＭ＿Ｃを確認する。
【図２Ａ】図１Ａの本発明の例示的な実施形態による、例示的なシステムアーキテクチャである。図２Ａには、ネットワークコントローラまたは共存マネージャＣＭ＿Ａが図示されている。本発明の例示的な実施形態では、共存マネージャＣＭ＿Ａは、自身がそのために機能しているトランスファー無線ネットワークＡ１に対するリソース割当ての権限移譲をする候補共存マネージャの選択を決定する際の根拠として、共存発見情報サーバ（ＣＤＩＳ）にアクセスし、隣接する使用可能なネットワークのアドレスを取得し、隣接する共存マネージャＣＭ＿Ｂ及びＣＭ＿Ｃのアドレスを受信する。
【図２Ｂ】図２Ａの本発明の例示的な実施形態による例示的なシステムアーキテクチャである。図２Ｂには、ネットワークコントローラ又は共存マネージャＣＭ＿Ａが図示されている。本発明の例示的な実施形態では、ＣＭ＿Ａは選択された候補ネットワークコントローラＣＭ＿Ｃに対し、トランスファー無線ネットワークＡ１に対するリソース割当ての権限移譲のためのリクエストを送信しており、このリクエストは１つ以上の選択基準に基づいている。
【図２Ｃ】図２Ａの本発明の例示的な実施形態による例示的なシステムアーキテクチャである。図２Ｃには、ネットワークコントローラ又は共存マネージャＣＭ＿Ａが図示されている。本発明の例示的な実施形態では、ＣＭ＿Ａは選択された候補ネットワークコントローラＣＭ＿Ｃから、トランスファー無線ネットワークＡ１に対するリソース割当ての権限移譲に対する承諾を受信している。その後、このＣＭ＿Aが権限放棄をする。
【図３Ａ】図１Ａの本発明の例示的な実施形態による例示的なシステムアーキテクチャである。図３Ａには、ネットワークコントローラ又は共存マネージャＣＭ＿Ａが図示されている。本発明の例示的な実施形態では、ＣＭ＿Ａは使用可能な隣接するネットワークのアドレスを取得するために、図１Ａの共存発見情報サーバ（ＣＤＩＳ）にアクセスし、隣接する共存マネージャＣＭ＿Ｂ及びＣＭ＿Ｃのアドレスを受信している。さらに、共存マネージャＣＭ＿Ａが機能するトランスファー無線ネットワークＡ１に対するリソース割当ての権限移譲をするために候補共存マネージャの選択を決定する際の根拠として、トランスファー無線ネットワークＡ１の共存セットの中の、隣接する無線ネットワークＢ１、Ｃ１、及びＣ２の拡張共存セットの中の、無線ネットワークＤ１及びＥ１の識別情報を、隣接する共存マネージャＣＭ＿Ｂ及びＣＭ＿Ｃからリクエストしている。
【図３Ｂ】図３Ａの本発明の例示的な実施形態による例示的なシステムアーキテクチャである。図３Ｂには、ネットワークコントローラ又は共存マネージャＣＭ＿Ａが図示されている。本発明の例示的な実施形態では、ＣＭ＿Ａは、共存セットＡ及び拡張共存セットＡ'の中で最多の無線ネットワークのために機能する候補ネットワークコントローラＣＭ＿Ｃを選択し、トランスファー無線ネットワークＡ１に対するリソース割当ての権限移譲のリクエストを送信しており、このリクエストは選択基準に基づいている。
【図３Ｃ】は、図３Ａの本発明の例示的な実施形態による例示的なシステムアーキテクチャである。図３Ｃには、ネットワークコントローラ又は共存マネージャＣＭ＿Ａが図示されている。本発明の例示的な実施形態では、このＣＭ＿Ａは選択された候補ネットワークコントローラＣＭ＿Ｃから、トランスファー無線ネットワークＡ１に対するリソース割当ての権限移譲に対する承諾を受信している。
【図４Ａ】図１Ａの本発明の例示的な実施形態による、例示的なシステムアーキテクチャである。図４Ａには、共存発見情報サーバ（ＣＤＩＳ）が図示されている。本発明の例示的な実施形態では、ＣＤＩＳは、ネットワークコントローラ又は共存マネージャＣＭ＿Ａからリクエストを受信し、共存マネージャＣＭ＿Ａが機能するトランスファー無線ネットワークＡ１に対するリソース割当ての権限移譲をする候補共存マネージャを選択する。
【図４Ｂ】図４Ａの本発明の例示的な実施形態による例示的なシステムアーキテクチャである。図４Ｂには、共存発見情報サーバ（ＣＤＩＳ）が図示されている。本発明の例示的な実施形態では、このＣＤＩＳは、１つ以上の選択基準に基づいて選択された候補ネットワークコントローラＣＭ＿Ｃにリクエストを送信し、トランスファー無線ネットワークＡ１に対するリソース割当ての権限移譲をする。
【図５Ａ】図１Ａの本発明の例示的な実施形態による例示的なシステムアーキテクチャである。図５Ａには、共存発見情報サーバ（ＣＤＩＳ）が図示されている。本発明の例示的な実施形態では、ＣＤＩＳは、ネットワークコントローラ又は共存マネージャＣＭ＿Ａからのリクエストを受信し、共存マネージャＣＭ＿Ａが機能するトランスファー無線ネットワークＡ１に対するリソース割当ての権限移譲をする候補共存マネージャを選択する。図５において、ＣＤＩＳは使用可能な隣接ネットワークのアドレス、及び隣接共存マネージャＣＭ＿Ｂ及びＣＭ＿Ｃのアドレスを取得し、さらに、共存マネージャＣＭ＿Ａが機能するトランスファー無線ネットワークＡ１に対するリソース割当ての権限移譲をするために候補共存マネージャの選択を決定する際の根拠として、トランスファー無線ネットワークＡ１の共存セットの中の、無線ネットワークＢ１、Ｃ１、及びＣ２のネイバーの拡張共存セットの中の、無線ネットワークＤ１及びＥ１の識別情報を、隣接する共存マネージャＣＭ＿Ｂ及びＣＭ＿Ｃからリクエストしている。
【図５Ｂ】図４Ａの本発明の例示的な実施形態による例示的なシステムアーキテクチャである。図４Ｂには、共存発見情報サーバ（ＣＤＩＳ）が図示されている。本発明の例示的な実施形態では、このＣＤＩＳは、１つ以上の選択基準に基づいて選択された候補ネットワークコントローラＣＭ＿Ｃにリクエストを送信し、トランスファー無線ネットワークＡ１に対するリソース割当ての権限移譲をする。
【図６Ａ】本発明に従う非限定的な例示的な周波数帯域のダイアグラムである。図６Ｂに示されるような、米国バージニア州リッチモンドのテレビ放送チャネルを提供している有ライセンスのテレビ事業者が局所的に使用していないテレビ帯ホワイトスペースの中の、本発明のある実施形態従うＴＤＭＡ共存フレームサブ帯域の例を描いている。図６Ｂはまた、ＦＣＣの専用テレビ帯ホワイトスペースの中のサブ帯域における例示的なＴＤＭＡ共存フレームや、衛星地上局が局所的に使用していないホワイトスペーススペクトルの中のサブ帯域の例示的なＴＤＭＡ共存フレームも描いている。
【図６Ｂ】米国バージニア州リッチモンドの地図にテレビ放送チャンネルのカバー範囲を重ねた例である。本発明のある実施形態に従い、有ライセンスの放送事業者が使用していない、局所的に利用可能なテレビ帯ホワイトスペースが描かれている。
【図７Ａ】本発明の例示的実施形態に従う機能ブロック図であり、例示的なマスタＷＳＤ９がワイヤレスデバイスのためのコントロールノード又は共存イネーブラを含むことが描かれている。本発明の例示的実施形態において、このデバイスは、隣接する無線ネットワークにおいて事業を行っている優先ユーザ電波が存在しないかもしれない、ＴＶＷＳ（テレビ帯ホワイトスペース）共存帯域又は更なるＲＦスペクトルホワイトスペーススペクトルで動作するように構成されてもよい。
【図７Ｂ】本発明の例示的実施形態に従う機能ブロック図であり、例示的なスレーブＷＳＤ１０がワイヤレスデバイスのためのコントロールノード又は共存イネーブラを含むことが描かれている。本発明の例示的実施形態において、このデバイスは、隣接する無線ネットワークにおいて事業を行っている優先ユーザ電波が存在しないかもしれない、ＴＶＷＳ（テレビ帯ホワイトスペース）共存帯域又は更なるＲＦスペクトルホワイトスペーススペクトルで動作するように構成されてもよい。
【図７Ｃ】発明のある実施形態に従う例示的なネットワークダイアグラムであり、本発明の例示的実施形態に従い、コントロールノード又は共存イネーブラが、ネットワークコントローラ又は共存マネージャと、バックホール有線回線及び／又はインターネットリンクを介して通信することが描かれている。
【図８】本発明のある実施形態に従う例示的なフローダイアグラムであり、サービス提供中のワイヤレスネットワークに対するリソース割り当ての権限移譲をするサービング・ネットワークコントローラにおける処理ステップのフローダイアグラムである。
【図９】本発明の例示的実施形態に従う例示的な周波数帯域ダイアグラムの例であり、携帯機器通信周波数帯域のアップリンク部分における、ペアリングされていないＴＤＤ周波数ホワイトスペースにおけるサブ帯域の中の例示的なＴＤＭＡ共存フレームを描いている。
【図１０】本発明の例示的な実施形態を描いたものであり、磁気的、電子的、及び／又は光学的な技術に基づくリムーバブルな記憶メディアであって、本発明の少なくとも一つの実施形態に従うコンピュータプログラム製品の例として、データ及び／又はコンピュータプログラムコードを格納するための、例えば磁気ディスクや光ディスク、半導体記憶回路デバイスやマイクロＳＤメモリカードのようなリムーバブル記憶メディアの例が描かれている。
【発明の例示的実施形態の説明】
【００３５】
ＦＣＣは、連邦政府によって強制されたアナログテレビ放送からデジタルテレビ放送への移行のあとに使用されなくなった周波数帯域のうち、使用のためにライセンスが不要なホワイトスペースとして、３００ＭＨｚから４００ＭＨｚを開放した。しかしＦＣＣは、ホワイトスペースのライセンス不要な使用が既存のライセンスを要する使用と干渉を引き起こすことを禁止した。既存のライセンスを要する使用とは、例えば、デジタルテレビ局や低出力テレビ局、ケーブルテレビのヘッドエンド、低出力のワイヤレスマイクを使用するサイトなどである。
【００３６】
ＦＣＣは、２０１０年９月２３日に、FCC 10-174"Second Memorandum Opinion and Order"（意見および指令の第２メモ）として、二次的なホワイトスペースデバイス（ＷＳＤ）のために、ホワイトスペースの規制を定めた。欧州では、欧州郵便電気通信主管庁会議（ＣＥＰＴ）が、ＥＣＣ報告書１５９"Technical and Operational Requirements for the Possible Operation of Cognitive Radio Systems in the 'White Spaces' of the Frequency Band 470-790 MHz, Jan. 2011"において初期要求を定義した。
【００３７】
アナログテレビの終了により残されたホワイトスペースのライセンス不要な用途のために、様々な提案が出されている。例えば、地方のためのブロードバンドの展開や、公共の安全のための通信の予備に使用すること、教育用又は事業用のビデオ会議、消費者のためのアプリケーション、メッシュネットワーク、安全のためのアプリケーション、地方自治体のブロードバンドアクセス、局所的な通信可能範囲や通信の強化、固定されたアップリンク、スマートグリッドの計測器のデータを読むためのセンサを集約すること、などである。
【００３８】
２つ又はそれ以上の、独立して動作するワイヤレスネットワークまたはデバイスであってテレビ帯ホワイトスペース周波数帯域に適した様々な無線技術を使用するネットワークまたはデバイスが、互いに干渉することなく同じ地理的位置で同じテレビ帯ホワイトスペース周波数帯域にアクセスするための、共存技術の標準規格が現在策定中である。
【００３９】
IEEE802.19ワーキンググループは現在、様々な種類の二次ネットワークのための共存ルールを策定中である。本発明の例示的実施形態は、様々な種類の二次ネットワーク（secandary network）が共存することを可能にし、また二次ネットワークと、保護されるべき一次ネットワーク（primary network）とが共存することを可能にする。一次ネットワーク及び利用者は、周波数帯域において何らかの権利を有する利用者であり、その帯域における優先的なアクセスを有している。一次ネットワークは、商業ラジオやテレビ放送のように、ＦＣＣにライセンスを受けた帯域で運営されているネットワークを含む。二次ネットワーク及び利用者は、選択された帯域において、一次利用者によって使用されていないときに限り、リソースを使用することを許されるネットワークや利用者である。二次ネットワークは、テレビ帯ホワイトスペース（TVWS）でライセンスなしで運営され、テレビ帯デバイス（TVBD）に関するFCCの要請に準拠している送信デバイスを使っている、いかなるブロードバンドネットワークをも含む。固定的に設置されるTVBDデバイスは、地理的位置を有し、許されるチャンネルを決定するためにデータベースにクエリを行わなければならない。移動可能なマスタＴＶＢＤデバイスは、地理的位置データにアクセスすることができなければならず、または、テレビやワイヤレスマイクの信号を特定するためのスペクトルセンシング能力を有していなければならない。
【００４０】
ＦＣＣは、ライセンスを受けた放送業者が使用していないスペクトル領域において、ブロードバンドテレビスペクトル帯の中でライセンス不要の無線送信機が動作することを許すルールを投入した。ＦＣＣは、ライセンス不要の送信機が位置を確立するための地理的位置情報と、ライセンスされた放送業者が使用しており彼らの地理的なサービスエリアにより管理されているテレビ帯のデータベースとを使用して、ライセンス不要の送信機が、どこで局所的なテレビ帯ホワイトスペースを利用可能であるかを知ることができるようにすること要請している。代替的に、ＦＣＣは、ライセンス不要の送信機がスペクトルセンサを使用して、ローカルなテレビ帯ホワイトスペースの中の現在の優先テレビ事業者の信号を検出し、ライセンス不要の送信機が帯域を使用することをすぐにやめることができるようにすることを要請している。ローカルなテレビ帯ホワイトスペースの一次利用者は、その帯域を使用することについてライセンスを受けている現在テレビ事業者である。しかし、ある地理的領域において、現在ライセンスを受けて事業を行っているテレビ放送業者がいない場合、ライセンスを受けていないその他の利用者がその帯域を活用するするかもしれない。
【００４１】
他のホワイトスペース帯域は、ある地理的範囲においてローカルに使用されていない帯域である。例えば海上無線のために割り当てられた周波数帯域であって、海洋から離れた陸地に囲まれた水域における周波数帯域がそのようなものの例である。海上無線帯域の優先利用者は、その帯域でサービスを提供することを許可された海上無線局であろうが、ライセンスを受けた海上無線事業者が存在しないような地理的範囲においては、ライセンスを受けていない二次的なユーザがその帯域を活用するかもしれない。同様に、局所的に使用されていないホワイトスペースが、特定の地理的範囲に存在するかもしれない。例えば、衛星通信のために送信を行う地上基地局のために割り当てられている2.025GHzから2.110GHzの周波数帯域は、これらの地上基地局から離れた領域ではそのようなホワイトスペースである。このような地上基地局の無線帯域の優先利用者は、その帯域で動作することをライセンスされた地上基地局であろうが、そのような地理的領域では、動作している衛星地上基地局は存在せず、ライセンスを受けていない別の二次的利用者がその帯域を活用するかもしれない。
【００４２】
ＲＦホワイトスペースを使用する複数の二次的ネットワークがアクティブに共存している場合、異なる二次的異種ネットワークの間で利用可能な帯域を公正にシェアするために、また、その帯域の優先ユーザに必要なパフォーマンスを与えるために、新たな技術が必要になるであろう。このような新たな技術は、局所的なスペクトルの公平な利用を可能にするために、二次的ネットワークの間で何らかの形の通信を行うことを必要とするだろう。
【００４３】
ネットワークコントローラ又は共存マネージャ（ＣＭ）は、IEEE802.19ワーキンググループによって提案された共存システムの主な決定者である。IEEE802.19ワーキンググループは様々な二次的ネットワークのための共存ルールを策定する。共存マネージャ（ＣＭ）は、同じエリアで動作しているネットワークの共存に関する競合を検出し解決する。ＣＭは一つ又は複数のネットワークにサービスを提供する。その配備によって、ＣＭは、ＴＶ帯デバイス（ＴＶＢＤ）ネットワークまたはデバイスに配置される。これらはまた、ホワイトスペースオブジェクト（ＷＳＯ）として参照される。独立したネットワークでは、ＣＭはＴＶＢＤに配置される。ＣＭは干渉を生じているネットワークを発見し、またそのＣＭを見つけ、他のＣＭとその情報を共有する。収集した情報に基づいて、ＣＭは自身のネットワークの動作を再構成するだけでなく、共存セットの中でＣＭがそれを許されているＷＳＯのために、必要に応じてリソースの再割り当てを行う。
【００４４】
米国においては、あるホワイトスペースデバイス（ＷＳＤ）は、関係付けられているスレーブＷＳＤデバイスのネットワークにおけるマスタＷＳＤとして動作しうる。例えばマスタＷＳＤはアクセスポイントや基地局であり得る。マスタＷＳＤはスレーブＷＳＤデバイスの代わりに地理的位置データベース（ＤＢ）にアクセスすることが期待されており、それによって、テレビ放送事業者のような権利を有するユーザによって使用されていない利用可能スペクトルを発見する。
【００４５】
マスタＷＳＤ及びその無線ネットワークは、コントロールノード又は共存イネーブラ（ＣＥ）を通じてネットワークコントローラ又は共存マネージャ（ＣＭ）に登録される。共存イネーブラ（ＣＥ）の極めて重要な機能は、共存のためにあるＷＳＯから要求される情報を取得することと、共存マネージャ（ＣＭ）から受信された共存決定に従ってＷＳＯ操作を再構成することである。収集される情報は、TVBDネットワークの能力やリソースの必要性、無線環境の特性に及ぶ。CEはマスタＷＳＤの中に存在していてもよい。マスタＷＳＤは、例えば、アクセスポイントや基地局、メッシュポイントである。
【００４６】
以下の説明では、次のように定義される用語を使用する。
・  ＷＳＯ（ホワイトスペースオブジェクト）＝ＴＶＢＤネットワークまたはデバイス
・  共存セット（coexistence set）＝ネイバー（neighbors）
・・  共存セットは、ネイバーと呼ばれるのではなければ、ＷＳＯのセットである。
・・  共存マネージャ（ＣＭ）それぞれが、自身が機能するそれぞれのＷＳＯのための共存セットを決定し、保持する。あるＷＳＯの共存セットは、他の複数のＷＳＯから成る。前記他の複数のＷＳＯは前記ＷＳＯに干渉を与える場合がある。また、前記ＷＳＯも前記他の複数のＷＳＯから干渉を受ける場合がある。
・  共存セット要素＝隣接するＴＶＢＤネットワーク又はデバイス
・・  共存セットに属するＷＳＯ
・  共存セット拡張＝制限されたネットワーク（ネイバーのネイバー）
・・  それぞれのＣＭは、それぞれの共存セットに関する共存セット拡張（同様に、拡張された共存セットとして参照される）を有する。（そのＣＭが機能するＷＳＯ１つあたり、１つ）を有する。拡張は複数のＷＳＯを含み、ＷＳＯは自身の共存セット内にあるＷＳＯの共存セットに属する。しかし、自身の共存セットには属さない。
【００４７】
共存マネージャ（ＣＭ）は、それらＣＭが機能する無線ネットワーク及びデバイスに関するリソース割当てを決定する際、お互いの相互作用及び協力のために行う、様々なトポロジーの決定に従って組織される場合がある。共存マネージャ（ＣＭ）は、自律的に動作できる。これらのＣＭは、中央集中型の制御を採用する場合がある。また、分散型の制御においては、これらＣＭ間で判断を共有する場合がある。
【００４８】
共存マネージャ（ＣＭ）を含むシステムが集中型の決定を採用する場合、サービングＣＭ（サービス提供中の共存マネージャ）は、ここでマスタＣＭと称される他のＣＭに、このサービングＣＭが機能している無線ネットワークに関するリソース割当てのための権限移譲を行う。ここで使用されるように、サービングＣＭはスレーブＣＭとしても参照される。そして、このＣＭが機能する無線ネットワークは、トランスファー無線ネットワーク（transfer wireless network）として参照される。
【００４９】
本発明の例示的実施形態では、サービングＣＭはトランスファー無線ネットワークに対する共存イネーブラ（ＣＥ）を有する。トランスファー無線ネットワークはサービングＣＭに登録されている。また、サービングＣＭは分散型または自立型の判断を用いて、トランスファー無線ネットワークに対するリソース割当てを決定する。後述する例示的な状況において、サービングＣＭは自身が機能している無線ネットワークに対するリソース割当てのための権限移譲を行う必要がある場合がある。
・  トランスファー無線ネットワークの共存セット内にある無線ネットワークの共存イネーブラ（ＣＥ）の多くが登録されているＣＭが、１または少数存在する。
・  トランスファー無線ネットワークの共存セット要素が登録されるＣＭの数は多い。
・  サービングＣＭは、自身に登録されている全てのＣＥのために機能するため、リソース不足になりがちである。
【００５０】
図１Ａは、本発明の例示的な実施形態によるシステム構成概略図であり、３つのネットワークコントローラまたは共存マネージャ（ＣＭ＿Ａ、ＣＭ＿Ｂ，ＣＭ＿Ｃ）を描写している。これらはそれぞれ、各自の無線ネットワークまたはホワイトスペースオブジェクト（ＷＳＯｓ）Ａ１，Ｂ１，及びＣ１／Ｃ２に対するホワイトスペーススペクトルのリソース割当てを管理している。また、Ａ１，Ｂ１，及びＣ１／Ｃ２は互いに隣接している。ネットワークコントローラＣＭ＿Ａは、トランスファー無線ネットワークＡ１に対するリソース割当てのための権限移譲を必要とする。ネットワークコントローラＣＭ＿Ａは、トランスファー無線ネットワークＡ１のために機能する。本発明の例示的な実施形態に従うと、サービング・ネットワークコントローラＣＭ＿Ａは、トランスファー無線ネットワークＡ１に対するリソース割当てのための権限移譲がされる、候補ネットワークコントローラＣＭ＿Ｃを選択する。この選択は、１つ以上の選択基準に基づくものであり、本発明の例示的な実施形態においては、候補ネットワークコントローラＣＭ＿Ｃが機能する１つ以上の無線ネットワークＣ１及びＣ２の特性が含まれている。
【００５１】
本発明の例示的実施形態では、１つ以上の選択基準に候補ネットワークコントローラＣＭ＿Ｃが含まれている。ただしこのＣＭ＿Ｃは、無線ネットワークＢ１、Ｃ１、Ｃ２の共存セットにおいて、最も多くの無線ネットワーク（Ｃ１、Ｃ２）のために機能しているＣＭである。これらの無線ネットワークＢ１、Ｃ１、Ｃ２はトランスファー無線ネットワークＡ１に干渉を生じさせ、またトランスファー無線ネットワークＡ１によって干渉を受ける場合がある。図１に示す例示において、ネットワークコントローラＣＭ＿Ｂは無線ネットワークＢ１のみのために機能する。一方で、ＣＭ＿Ｃは２つの無線ネットワークＣ１、Ｃ２のために機能する。
【００５２】
本発明の例示的実施形態では、１つ以上の選択基準に候補ネットワークコントローラＣＭ＿Ｃが含まれている。ただしこのＣＭ＿Ｃは、無線ネットワークＢ１、Ｃ１、Ｃ２の共存セットにおいて、最も多くの無線ネットワーク（Ｃ１、Ｃ２）のために機能しているＣＭである。この無線ネットワークＢ１、Ｃ１、Ｃ２の共存セットは、トランスファー無線ネットワークＡ１に干渉を生じさせ、またトランスファー無線ネットワークＡ１によって干渉を受ける場合がある。さらに、これらの無線ネットワークＢ１、Ｃ１、Ｃ２は無線ネットワークの拡張共存セットからの干渉を受ける場合がある。この無線ネットワークの拡張共存セットも、上記共存セット内の無線ネットワークＢ１、Ｃ１、Ｃ２に干渉を生じさせ、また上記共存セット内の無線ネットワークＢ１、Ｃ１、Ｃ２によって干渉を受ける場合がある。図１Ａの例示は拡張共存セットを含まない。そのため、この基準は候補ネットワークコントローラＣＭ＿Ｃを選択するためのデフォルトとなり得る。
【００５３】
本発明の例示的実施形態では、１つ以上の選択基準には候補ネットワークコントローラ（ＣＭ＿ＢまたはＣＭ＿Ｃ）が含まれている。ただしこの候補ネットワークコントローラ（ＣＭ＿ＢまたはＣＭ＿Ｃ）は、無線ネットワークの共存セットにおいて、少なくとも１つの無線ネットワーク（Ｂ１、Ｃ１、Ｃ２のうちのいずれか１つ以上）のために機能している候補ネットワークコントローラである。これらの無線ネットワークＢ１、Ｃ１、Ｃ２はトランスファー無線ネットワークＡ１に干渉を生じさせ、またトランスファー無線ネットワークＡ１によって干渉される場合がある。図１Ａの例示では、ネットワークコントローラＣＭ＿Ｂ及びＣＭ＿Ｃの両方が、無線ネットワークＢ１、Ｃ１、Ｃ２のうちの少なくとも１つのために機能している。
【００５４】
本発明の例示的実施形態では、１つ以上の選択基準に候補ネットワークコントローラＣＭ＿Ｃが含まれている。ただしこの候補ネットワークコントローラＣＭ＿Ｃは、無線ネットワークＢ１、Ｃ１、Ｃ２の共存セットの中で最も多くの無線ネットワーク（Ｃ１、Ｃ２）のために機能している。無線ネットワークＢ１、Ｃ１、Ｃ２はトランスファー無線ネットワークＡ１に干渉を生じさせ、または、トランスファー無線ネットワークＡ１によって干渉される。その一方で、共存セットにおいて候補ネットワークコントローラＣＭ＿Ｃのサービスを受ける無線ネットワークＣ１、Ｃ２は、無線アクセステクノロジーを使用して動作する。この無線アクセステクノロジーは、トランスファー無線ネットワークＡ１の無線アクセステクノロジーと同一である。図１Ａの例示において、ネットワークコントローラＣＭ＿Ｂは、無線ネットワークＢ１のみのために機能している。その一方、ネットワークコントローラＣＭ＿Ｃは、２つの無線ネットワークＣ１、Ｃ２のために機能している。ただしこれら無線ネットワークＣ１、Ｃ２はＩＥＥＥ．802.11無線テクノロジーを使用して動作し、トランスファー無線ネットワークＡ１もまたＩＥＥＥ．802.11無線テクノロジーを使用して動作する。
【００５５】
本発明の例示的実施形態において、１つ以上の選択基準には候補ネットワークコントローラ（ＣＭ＿ＢまたはＣＭ＿Ｃのいずれか）が含まれているが、この場合、ＣＭ＿ＢまたはＣＭ＿Ｃは、サービング・ネットワークコントローラＣＭ＿Ａとビジネス上の関係がある。ビジネス上の関係には、例えば、一般的な所有権、所有者の相互的な契約上の義務、一般的なサービス提供者を含むことができる。図１Ａの例示は、ビジネス上の関係を含まない。
【００５６】
本発明の例示的実施形態において、１つ以上の選択基準にサービング・ネットワークコントローラＣＭ＿Ａが含まれているが、この場合、このサービング・ネットワークコントローラＣＭ＿Ａは追加的な無線ネットワークのために機能するために十分なリソースを有していない。図１Ａの例示において、ネットワークコントローラＣＭ＿Ｂ、ＣＭ＿Ｃの一方または両方は、ＣＭ＿Ａのサービスを受ける無線ネットワークの一部をＣＭ＿Ａに代わって受け入れることを可能とする、追加的なキャパシティを有している場合がある。
【００５７】
本発明の例示的実施形態では、１つ以上の選択基準が候補ネットワークコントローラＣＭ＿Ｃ及び／又はＣＭ＿Ｂを含んでいる。ただしこの候補ネットワークコントローラＣＭ＿Ｃ、ＣＭ＿Ｂは、共存決定アルゴリズムを使用している。この共存決定アルゴリズムは、サービング・ネットワークコントローラＣＭ＿Ａが使用しているものと同じである。図１Ａの例示は、候補ネットワークコントローラＣＭ＿Ｂ、ＣＭ＿Ｃのいずれが、サービング・ネットワークコントローラＣＭ＿Ａによって採用されたのと同一の決定アルゴリズムを採用しているのか、示していない。
【００５８】
本発明の例示的実施形態では、サービング・ネットワークコントローラＣＭ＿Ａが、候補ネットワークコントローラの選択を行った後に、選択されたネットワークコントローラＣＭ＿Ｃ及び／またはＣＭ＿Ｂに、図１Ａのインターネット１０５及びＣＭネットワーク１０６を経由して、リクエスト３２を送信する。それによって、トランスファー無線ネットワークＡに関するリソース割当ての権限が、１つ以上の選択基準に基づいて、ＣＭ＿Ｃに移譲されたことになる。
【００５９】
本発明の例示的実施形態では、選択された候補ネットワークコントローラＣＭ＿Ｃが権限を受け取ることを示した場合、サービング・ネットワークコントローラＣＭ＿Ａは、トランスファー無線ネットワークＡ１に関するリソース割当てのための権限を放棄する。
【００６０】
ＷＳＤデバイスの動作領域に関する例示的なホワイトスペーススペクトルは、専用テレビ帯ホワイトスペーススペクトル３０や、局所的に使用されていないテレビ帯３１、局所的に使用されていない海上バンド３３、局所的に使用されていない衛星バンド３５、局所的にペアリングされていないＴＤＤ携帯機器周波数を含む。
【００６１】
図１はまた、それぞれのスペクトルホワイトスペースにおいてライセンスを有する優先ユーザによって局所的に使用されていないホワイトスペーススペクトルの、非限定的な３つの例を示している。それらはライセンスを有さない非優先ユーザ（secondary user）によって動作させられているマスタＷＳＤまたはスレーブＷＳＤによって使用されるかもしれない。テレビ帯ホワイトスペース３１は、ライセンスを有するテレビ放送事業者によって、局所的に使用されていないホワイトスペースである。海上無線バント３３は、ライセンスを有する海上無線ラジオによって、局所的に使用されていない。地上局のための衛星無線バンド３５は、ライセンスを有する無線地上局によって局所的に利用されていない。非限定的な例であるが、ライセンスを有するテレビ放送事業者によって局所的に使用されていないテレビ帯ホワイトスペース３１は、１７４−２０４ＭＨｚの帯域である。これは、ＶＨＦテレビチャンネル７，８，９，１０，１１が局所的に存在していないことを表している。ＶＨＦテレビチャンネル７，８，９，１０，１１に放送事業者が存在していたとすれば、マスタＷＳＤかスレーブＷＳＤと干渉していたであろう。これらのチャンネルに関するテレビ帯ホワイトスペース３１にライセンスを有する放送事業者が局所的に存在していない場合、これらのＷＳＤはライセンスを有しない二次的ユーザとして動作し、テレビ帯ホワイトスペース３１を利用することができる。マスタＷＳＤかスレーブＷＳＤのいずれかが、帯域３１において、近くのテレビ放送事業者から送信された信号を検出した場合、それらはテレビ帯ホワイトスペース３１の利用をあきらめ、本発明の例示的実施形態に従って、リソース要求を行わなければならない。   ホワイトスペーススペクトルの非限定的な例は、電磁波スペクトルの様々な領域で得られる。例えば、スペクトルのＵＨＦ領域において、パーソナル／携帯デバイスのためにホワイトスペーススペクトルが利用可能である。
【００６２】
海上無線は、ライセンスを受けて割り当てられた様々な周波数において運営されており、海上無線帯３３における一次利用者である。マスタＷＳＤまたはスレーブＷＳＤと干渉する可能性のある有ライセンスの海上無線が存在していない場合、これらのＷＳＤはライセンスを有しない二次的ユーザとして動作し、海上無線帯３３を利用することができる。マスタＷＳＤかスレーブＷＳＤのいずれかが、近くの海上無線から送信された信号を検出した場合、それらは海上無線33の利用をあきらめ、本発明の例示的実施形態に従って、リソース要求を行わなければならない。
【００６３】
衛星地上局は地上衛星帯（earth-to-satellite band）の一次利用者であり、ライセンスによって割り当てを受けた２．０２５ＧＨｚから２．１１０ＧＨｚの周波数において、衛星へと送信を行う。マスタＷＳＤまたはスレーブＷＳＤと干渉する可能性のある有ライセンスの地上局が存在していない場合、これらのＷＳＤはライセンスを有しない二次的ユーザとして動作し、地上衛星帯35を利用することができる。マスタＷＳＤかスレーブＷＳＤのいずれかが、近くの地上無線局から送信された信号を検出した場合、それらは地上衛星帯35の利用をあきらめ、本発明の例示的実施形態に従って、リソース要求を行わなければならない。
【００６４】
図１Ｂは、本発明の例示的な実施形態による例示的なシステム構成であり、図１Ａの２つのネットワークコントローラＣＭ＿Ａ及びＣＭ＿Ｃを示している。本発明の例示的な実施形態において、これらのコントローラは、互いに隣接する個別の無線ネットワークＡ１及びＣ１／Ｃ２のために機能する。本発明のある例示的実施形態において、共存マネージャＣＭ＿Ａ及びＣＭ＿Ｃによるネットワークは分散しており、互いにインターネット１０５を通じて通信することとしてもよい。本発明のある例示的実施形態によれば、マスタＷＳＤ９のコントロールノード又は共存イネーブラ118は、ＴＶＷＳ共存マネージャＣＭ＿Ａと一緒に登録されてもよい。本発明のある例示的実施形態によれば、マスタＷＳＤ９のコントロールノード又は共存イネーブラ118は、ＴＶＷＳ共存マネージャＣＭ＿Ａと一緒に用いられてもよい。マスタＷＳＤ３の共存イネーブラ１１５は、インターネット１０５を介してＴＶＷＳ共存マネージャＣＭ＿Ｃと通信してもよい。本発明のある例示的実施形態において、共存マネージャＣＭ＿Ａ及びＣＭ＿Ｃは分散して配置されており、互いにインターネット１０５を通じて通信することとしてもよい。マスタＷＳＤ１は、コントロールノード又は共存マネージャ１１１を通じてネットワークコントローラ又は共存マネージャＣＭ＿Ｃに登録されてもよい。マスタＷＳＤ３は、コントロールノード又は共存マネージャ115を通じてネットワークコントローラ又は共存マネージャＣＭ＿Ｃに登録されてもよい。
【００６５】
本発明の例示的実施形態では、共存イネーブラ118は、共存のために必要な情報を、トラフィックネットワーク又はそれを表すデバイスから得てもよい。これは、コンフィグレーションや、測定の制御を含んでもよい。また共存イネーブラ118は、共存マネージャＣＭ＿Ａから受信した共存の決定に対応するＷＳＤ９に、再構成コマンドや制御情報を提供してもよい。共存マネージャＣＭ＿Ａは、例えば、隣接するワイヤレスネットワークを管理している共存マネージャ（Coexistence Manager；ＣＭ）であるＣＭ＿Ｃの発見の責任を負っている。共存に関する情報が、これらの間で交換されてもよい。共存マネージャＣＭ＿Ａ又はＣＭ＿Ｃは、隣接するワイヤレスネットワークを管理している共存マネージャ（Coexistence Manager；ＣＭ）の間でリソース共有の決定を行うために必要とされる情報を有していてもよい。
【００６６】
共存マネージャＣＭ＿Ｃは、マスタＷＳＤ１の共存イネーブラ１１１からのリソース要求を取り扱う。共存マネージャＣＭ＿Ａは、マスタＷＳＤ９の共存イネーブラ118からのリソース要求を取り扱う。マスタＷＳＤ１、ＷＳＤ３、ＷＳＤ９は、そのネットワーク上で通信を行うために、ＩＥＥＥ802.11 MAC及びPHYを有している。共存イネーブラ１１１、１１５、１１８は、それぞれの共存マネージャＣＭ＿Ｃ又はＣＭ＿Ａへリソース要求を送信する。
【００６７】
図１Ｂの例示的システムアーキテクチャは、共存マネージャＣＭ＿Ｃが、マスタＷＳＤ１の共存イネーブラ１１１からリソース要求を受信することを示している。共存マネージャＣＭ＿Ｃは、マスタＷＳＤ１の共存イネーブラ１１１から、スペクトル測定の結果とネットワークパラメーターとを受信できる。ネットワークパラメーターは、特定のユーザ要求（負荷、ＱｏＳ、優先度など）や、全体としてのスペクトル効率、決まり事（初めに来たものが初めにサービスを受けるなど）、ユーザ又はネットワークのポリシなどを含んでもよい。共存マネージャＣＭ＿Ｃは、テレビ帯ホワイトスペースの中の利用可能な二次的チャンネルを取得するべく、図１Ａの地理的位置データベース２００にアクセスできる。共存マネージャＣＭ＿Ｃは、可能性のある隣接ネットワークのアドレスを取得するべく、図１Ａの共存ネットワーク要素である共存ディスカバリ及び情報サーバ（coexistence discovery and information server；CDIS）１０７にアクセスする。共存マネージャＣＭ＿Ｃは、マスタＷＳＤ１の共存イネーブラ１１１のためのリソース割り当てを決定すべく、このデータを、スペクトルマップや動作パラメータ、時間に基づく同期に関連して処理する。共存マネージャＣＭ＿Ｃは続いて、マスタＷＳＤ１の共存イネーブラ１１１にリソース再割り当て情報を送信する。この情報には動作パラメータや送信を行うべきでない期間（Quiet period）のパラメータ、スペクトル測定の方法、及び／又は時間に基づく同期に関する情報を含む。するとマスタＷＳＤ１の共存イネーブラ１１１は、共存マネージャＣＭ＿Ｃから再割り当てを受けたテレビ帯ホワイトスペースのチャンネルで、同じホワイトスペースチャンネルを共有するためのネットワークと干渉を起こさずに通信を行うべく、媒体アクセス制御（ＭＡＣ）や物理層（ＰＨＹ）、無線リソース制御（ＲＲＣ）、無線リソース管理（ＲＲＭ）の少なくとも一つに関する制御を行う。同様の処理は、マスタＷＳＤ９の共存イネーブラ118との関連において共存マネージャＣＭ＿Ａによっても実行されることができる。共存マネージャＣＭ＿Ｃ及びＣＭ＿Ａによる分散ネットワークは、インターネット１０５を通じて互いに通信してもよい。
【００６８】
図１Ｃは、本発明の例示的な実施形態による例示的なネットワーク概略図であり、無線ネットワークＡ１に隣接する無線ネットワークＢ１，Ｃ１，及びＣ２の共存セットＡの簡略図を示している。ここで、本発明の例示的な実施形態では、３つのネットワークコントローラＣＭ＿Ａ，ＣＭ＿Ｂ，及びＣＭ＿Ｃは、それぞれ、１つ以上の無線ネットワークＡ１，Ｂ１，及びＣ１／Ｃ２各々に関するホワイトスペーススペクトルのリソース割当てを管理する。
【００６９】
図１Ｄは、本発明の例示的な実施形態による例示的なネットワーク概略図であり、無線ネットワークＡ１に隣接する無線ネットワークＢ１及びＣ１に隣接する無線ネットワークＤ１及びＥ１の拡張共存セットＡ'の簡略図を示している。ここで、本発明の例示的な実施形態では、３つのネットワークコントローラＣＭ＿Ａ，ＣＭ＿Ｂ，及びＣＭ＿Ｃは、それぞれ、１つ以上の無線ネットワークＡ１，Ｂ１，及びＣ１／Ｃ２各々に関するホワイトスペーススペクトルのリソース割当てを管理し、２つのネットワークコントローラＣＭ＿Ｄ及びＣＭ＿Ｅは、それぞれ、１つ以上の無線ネットワークＤ１及びＥ１各々に関するホワイトスペーススペクトルのリソース割当てを管理する。
【００７０】
図１Ｅは、本発明の例示的な実施形態による例示的なネットワーク概略図である。本発明の例示的な実施形態において、サービング・ネットワークコントローラＣＭ＿Ａは最初のリクエストを第一候補ネットワークコントローラＣＭ＿Ｂに送信し、拒否応答を受信する。そして、サービング・ネットワークコントローラＣＭ＿Ａは、次のリクエストを第二候補ネットワークコントローラＣＭ＿Ｃに送信し、肯定応答を受信する。さらに、第二候補ネットワークコントローラＣＭ＿Ｃは、新規な構成を表す共存発見情報サーバ（coexistence discovery and information server；ＣＤＩＳ）に表示を送信する。
【００７１】
図１Ｆは、本発明の例示的な実施形態による例示的なネットワーク概略図である。本発明の例示的な実施形態において、サービング・ネットワークコントローラＣＭ＿Ａは、リクエストを共存発見情報サーバ（ＣＤＩＳ）に送信する。そして、ＣＤＩＳは前記リクエストを第一候補ネットワークコントローラＣＭ＿Ｂに送信し、拒否応答を受信する。続いて、ＣＤＩＳは、次のリクエストを第二候補ネットワークコントローラＣＭ＿Ｃに送信し、肯定応答を受信する。続いて、ＣＤＩＳは、サービング・ネットワークコントローラＣＭ＿Ａに確認メッセージを送信する。サービング・ネットワークコントローラＣＭ＿Ａは、選択された候補ネットワークコントローラＣＭ＿Ｃを確認する。
【００７２】
図２Ａは、図１Ａの本発明の例示的実施形態による例示的システムアーキテクチャである。共存マネージャＣＭ＿Ａは、現在、トランスファー無線ネットワークＡ１に対するリソース割当てのための権限を有する。共存マネージャＣＭ＿Ａは、トランスファー無線ネットワークＡ１のために機能する。共存マネージャＣＭ＿Ａは、上記権限を移譲する候補共存マネージャを選択する必要がある。図３Ａは、この目的を達成するために、共存マネージャＣＭ＿Ａが取り得るいくつかの例示的ステップを示す。ステップ２０２において、共存マネージャＣＭ＿Ａは既に無線ネットワークＡ１の隣接無線ネットワークの識別情報を知っている。この識別情報は共存セットＡ内の無線ネットワークＢ１、Ｃ１、Ｃ２である。なぜなら、これら無線ネットワークＢ１、Ｃ１、Ｃ２はトランスファー無線ネットワークＡ１に干渉を生じさせ、またトランスファー無線ネットワークＡ１から干渉を受ける場合があるためである。図２Ａは、ネットワークコントローラ又は共存マネージャＣＭ＿Ａを示す。このネットワークコントローラ又は共存マネージャＣＭ＿Ａは、インターネット１０５を介して共存発見情報サーバ（ＣＤＩＳ）１０７にアクセスし、使用可能な隣接する共存マネージャのアドレスを取得する。この使用可能な隣接する共存マネージャは、共存セットＡにある隣接する無線ネットワークＢ１、Ｃ１、Ｃ２のために機能する。図２Ａのステップ２０４には、共存マネージャＣＭ＿ＡがＣＭアドレスメッセージ２９を受信し、無線ネットワークＢ１、Ｃ１、Ｃ２のために機能している、隣接する共存マネージャＣＭ＿Ｂ及びＣＭ＿Ｃにレポートしているのが示されている。ステップ２０６には、共存セット内の無線ネットワークの共存セットＡの中で、最も多くの無線ネットワークのために機能する候補ネットワークコントローラを選択するという、選択基準を用いる共存マネージャＣＭ＿Ａが図示されている。本発明の例示的実施形態では、この選択基準に基づいて、共存マネージャＣＭ＿Ｃが選択される。なぜなら、共存マネージャＣＭ＿Ｂが１つの無線ネットワークＢ１のために機能しているのに対し、共存マネージャＣＭ＿Ｃは共存セット内の２つの無線ネットワークＣ１、Ｃ２のために機能しているからである。
【００７３】
図２Ｂは、図２Ａの本発明の例示的な実施形態による例示的なシステムアーキテクチャである。図２Ｂにはステップ２０８、ネットワークコントローラ又は共存マネージャＣＭ＿Ａが図示されている。本発明の例示的な実施形態では、このネットワークコントローラ又は共存マネージャＣＭ＿Ａは選択された候補ネットワークコントローラＣＭ＿Ｃに対し、ＣＭネットワーク１０６及びインターネット１０５を経由して移譲要求メッセージ３２を送信する。この移譲要求メッセージ３２は、ステップ２０６の選択基準に基づいて、トランスファー無線ネットワークＡ１に対するリソース割当ての権限をＣＭ＿Ｃに移譲するための許可を要求するものである。図示されている移譲要求メッセージは、トランスファーネットワークによって必要とされるリソースに関する情報を含む場合がある。典型的なリソース要求は、以下のようなパラメータを用いて示される。
・  帯域幅（周波数領域において期待される又は必要とされる帯域幅）
・  占有率（期待される又は必要とされる帯域幅を仮定した場合の、期待される又は必要とされる時間占有率、すなわち無線が使用される時間の割合）
・  送信電力（期待される又は必要とされる送信電力）
【００７４】
図２Cは、図２Ａの本発明の例示的な実施形態による例示的なシステムアーキテクチャである。図２Ｃには、ネットワークコントローラ又は共存マネージャＣＭ＿Ａが、選択された候補ネットワークコントローラＣＭ＿Ｃから、トランスファー無線ネットワークＡ１に対するリソース割当ての権限移譲に対する承諾を受信しているのが示されている（ステップ２１０）。本発明の例示的実施形態では、その後、共存マネージャＣＭ＿Ａがトランスファー無線ネットワークＡ１に対するリソース割当てのための権限を放棄する（ステップ２１２）。
【００７５】
本発明の例示的実施形態では、選択基準が、共存セット内の候補ネットワークコントローラのサービスを受ける無線ネットワークを含み、この無線ネットワークがトランスファー無線ネットワークと同一の無線アクセステクノロジーを用いて動作している場合、共存マネージャＣＭ＿Ａは、共存セットＡ内の隣接する無線ネットワークの無線アクセステクノロジーを既に知っている。拡張共存セットＡ'内の無線ネットワークＤ１及びＥ１の無線アクセステクノロジーは、これら無線ネットワークＤ１及びＥ１それぞれの共存マネージャＣＭ＿Ｄ及びＣＭ＿Ｅから取得される場合がある。
【００７６】
本発明の例示的実施形態においては、選択基準に、サービング・ネットワークコントローラとビジネス上の関係を有する候補ネットワークコントローラが含まれている場合、ビジネス上の関係は、各自の共存マネージャＣＭ＿Ｂ、ＣＭ＿Ｃ、ＣＭ＿Ｄ、ＣＭ＿Ｅから取得される場合がある。
【００７７】
本発明の例示的実施形態においては、選択基準に、サービング・ネットワークコントローラの使用するアルゴリズムと同じ、共存決定アルゴリズムを使用している候補ネットワークコントローラが含まれている場合、共存決定アルゴリズムは、各自の共存マネージャＣＭ＿Ｂ、ＣＭ＿Ｃ、ＣＭ＿Ｄ、ＣＭ＿Ｅから取得される場合がある。
【００７８】
図３Ａは、図１Ａの本発明の例示的実施形態による例示的システムアーキテクチャである。共存マネージャＣＭ＿Ａは、現在、トランスファー無線ネットワークＡ１に対するリソース割当てのための権限を有する。共存マネージャＣＭ＿Ａは、トランスファー無線ネットワークＡ１のために機能する。共存マネージャＣＭ＿Ａは、上記権限を移譲する候補共存マネージャを選択する必要がある。図３Ａは、この目的を達成するために、共存マネージャＣＭ＿Ａが取り得るいくつかの例示的ステップを示す。ステップ２２２において、共存マネージャＣＭ＿Ａは、無線ネットワークＡ１の共存セットＡ内の隣接無線ネットワークＢ１、Ｃ１、Ｃ２の識別情報を既に知っている。なぜなら、無線ネットワークＢ１、Ｃ１、Ｃ２はトランスファー無線ネットワークＡ１に干渉を生じさせ、またはトランスファー無線ネットワークＡ１によって干渉される場合があるためである。図３Ａは、ネットワークコントローラ又は共存マネージャＣＭ＿Ａを示す。このネットワークコントローラ又は共存マネージャＣＭ＿Ａは、インターネット１０５を介して共存発見情報サーバ（ＣＤＩＳ）１０７にアクセスし、使用可能な隣接共存マネージャＣＭ＿Ｂ及びＣＭ＿Ｃのアドレスを取得する。この使用可能な隣接共存マネージャＣＭ＿Ｂ及びＣＭ＿Ｃは、共存セットＡにある隣接無線ネットワークＢ１、Ｃ１、Ｃ２のために機能する。図３Ａのステップ224には、共存マネージャＣＭ＿ＡがＣＭアドレスメッセージ２９を受信し、無線ネットワークＢ１、Ｃ１、Ｃ２のために機能している、隣接共存マネージャＣＭ＿Ｂ及びＣＭ＿Ｃにレポートしているのが示されている。本発明の例示的実施形態では、ステップ２２６において、共存マネージャＣＭ＿ＡがＣＭネットワーク１０６及びインターネット１０５を介して、隣接共存マネージャＣＭ＿Ｂ及びＣＭ＿Ｃから、トランスファー無線ネットワークＡ１の共存セット内にある無線ネットワークＢ１、Ｃ１、Ｃ２のネイバーの拡張共存セットＡ'内にある無線ネットワークＤ１及びＥ１の識別情報をリクエストしていることが図示されている。
【００７９】
図３Ｂは、図３Ａの本発明の例示的な実施形態による例示的なシステムアーキテクチャである。図３Ｂには、ネットワークコントローラ又は共存マネージャＣＭ＿Ａが、共存セットＡと共存セットＡ'との中で最も多くの無線ネットワークのために機能しているネットワークコントローラであるＣＭ＿Ｃを、候補ネットワークコントローラＣＭ＿Ｃとして選択することを、選択基準として使用しているのが示されている（ステップ228）。この共存マネージャＣＭ＿Ｃは、共存セットＡ内の２つの無線ネットワークＣ１及びＣ２、並びに拡張共存セットＡ'内のもう１つの無線ネットワークＥ１のために機能している。一方、共存マネージャＣＭ＿Ｂは、共存セットＡ内の１つの無線ネットワークＢ１、及び拡張共存セットＡ'内のもう１つの無線ネットワークＥ１のために機能する。よって、上記選択基準に基づくと、共存マネージャＣＭ＿Ｃが選択される。本発明の例示的実施形態では、図３Ｂのステップ２３０において、選択基準に基づいて選択された候補ネットワークコントローラＣＭ＿Ｃに対し、トランスファー無線ネットワークＡ１に対するリソース割当てのための権限移譲をするための要求メッセージ３２を送信することが示されている。
【００８０】
図３Cは、図３Ａの本発明の例示的な実施形態による例示的なシステムアーキテクチャである。図３Ｃには、ネットワークコントローラ又は共存マネージャＣＭ＿Ａが、選択された候補ネットワークコントローラＣＭ＿Ｃから、トランスファー無線ネットワークＡ１に対するリソース割当ての権限移譲に対する承諾メッセージ３４を受信しているのが示されている（ステップ232）。本発明の例示的実施形態では、その後、共存マネージャＣＭ＿Ａがトランスファー無線ネットワークＡ１に対するリソース割当てのための権限を放棄する（ステップ２３４）。
【００８１】
本発明の例示的実施形態では、ネットワークコントローラ又は共存マネージャＣＭ＿Ａは、現在、トランスファー無線ネットワークＡ１に対するリソース割当てのための権限を有する。このネットワークコントローラ又は共存マネージャＣＭ＿Ａは、トランスファー無線ネットワークＡ１のために機能する。図１Ｂのトランスファー無線ネットワークＡ１内のコントロールノード又は共存イネーブラ１１８は、サービング・ネットワークコントローラ又は共存マネージャＣＭ＿Ａに登録される場合がある。この例示的実施形態では、コントロールノード又は共存イネーブラ１１８は候補ネットワークコントローラ又は共存マネージャＣＭ＿Ｃを選択する。そして、例えば、共存マネージャＣＭ＿Ａが機能するトランスファー無線ネットワークＡ１に対するリソース割当てのための権限移譲を行う。この例示的実施形態では、コントロールノード又は共存イネーブラ１１８は、１つ以上の選択基準に基づいて選択された候補ネットワークコントローラ又は共存マネージャＣＭ＿Ｃに対し、例えば、トランスファー無線ネットワークＡ１に対するリソース割当てのための権限移譲を行うためのリクエストを送信する。本発明の例示的実施形態では、選択された候補ネットワークコントローラ又は共存マネージャＣＭ＿Ｃが権限を受け取ることを示した場合、コントロールノード又は共存イネーブラ１１８は、サービング・ネットワークコントローラ又は共存マネージャＣＭ＿Ａに、トランスファー無線ネットワークＡ１に関するリソース割当てのための権限を放棄させる。本発明のある例示的実施形態によれば、コントロールノード又は共存イネーブラ118は、サービング・ネットワークコントローラ又は共存マネージャＣＭ＿Ａと一緒に用いられてもよい。
【００８２】
図４Ａは、図１Ａの本発明の例示的な実施形態による、例示的なシステムアーキテクチャである。図４Ａには、共存発見情報サーバ（ＣＤＩＳ）１０７が図示されている。本発明の例示的な実施形態では、ＣＤＩＳは、ネットワークコントローラ又は共存マネージャＣＭ＿Ａからリクエストを受信し、共存マネージャＣＭ＿Ａが機能するトランスファー無線ネットワークＡ１に対するリソース割当ての権限移譲をする候補共存マネージャを選択する。共存マネージャＣＭ＿Ａは、現在、トランスファー無線ネットワークＡ１に対するリソース割当てのための権限を有する。共存マネージャＣＭ＿Ａは、トランスファー無線ネットワークＡ１のために機能する。共存マネージャＣＭ＿Ａは、共存発見情報サーバ（ＣＤＩＳ）１０７に、その権限を移譲する候補共存マネージャを選択するよう要求する。
【００８３】
図４Ａ及び図４Ｂは、共存発見情報サーバ（ＣＤＩＳ）１０７がこの目的を達成することができる、いくつかの例示的ステップを示している。ステップ２４０において、共存マネージャＣＭ＿Ａは、共存マネージャＣＭ＿Ａ自身の権限を別の共存マネージャに移譲するため、共存発見情報サーバ（ＣＤＩＳ）１０７にリクエストを送信する。ステップ２４２において、共存発見情報サーバ（ＣＤＩＳ）１０７は、共存セットを決定する権限を有し、無線ネットワークＡ１に隣接する無線ネットワークの識別情報を確認する。無線ネットワークＢ１、Ｃ１、Ｃ２は互いに干渉し合い、またはトランスファー無線ネットワークＡ１によって干渉される場合がある。したがって、隣接する無線ネットワークは、共存セットＡ内の無線ネットワークＢ１、Ｃ１、Ｃ２である。ステップ２４４には、共存発見情報サーバ（ＣＤＩＳ）１０７が、共存セットＡ内で隣接する無線ネットワークＢ１、Ｃ１、Ｃ２のために機能する、使用可能な隣接共存マネージャＣＭ＿Ｂ及びＣＭ＿Ｃのアドレスを知っていることが図示されている。図４のステップ２４６には、共存セット内の無線ネットワークの共存セットＡにおいて、最も多くの無線ネットワークのために機能する候補ネットワークコントローラを選択することを、選択基準として採用する共存発見情報サーバ（ＣＤＩＳ）１０７が示されている。本発明の例示的実施形態では、この選択基準に基づいて、共存マネージャＣＭ＿Ｃが選択される。なぜなら、共存マネージャＣＭ＿Ｂが１つの無線ネットワークＢ１のために機能しているのに対し、共存マネージャＣＭ＿Ｃは共存セット内の２つの無線ネットワークＣ１、Ｃ２のために機能しているからである。
【００８４】
図４Ｂは、図４Ａの本発明の例示的な実施形態による例示的なシステムアーキテクチャである。図４Ｂには、共存発見情報サーバ（ＣＤＩＳ）１０７が図示されている。本発明の例示的な実施形態では、ＣＤＩＳは選択された候補ネットワークコントローラＣＭ＿Ｃにリクエストを送信し、トランスファー無線ネットワークＡ１に対するリソース割当ての権限移譲をする。このリクエストは１つ以上の選択基準に基づいている。図４Ｂのステップ２４８では、共存発見情報サーバ（ＣＤＩＳ）１０７は、選択された候補ネットワークコントローラＣＭ＿Ｃに対し、ＣＭネットワーク１０６及びインターネット１０５を経由して移譲要求メッセージを送信する。本発明の例示的実施形態では、この移譲要求メッセージは、ステップ246の選択基準に基づいて、トランスファー無線ネットワークＡ１に対するリソース割当ての権限をＣＭ＿Ｃに移譲するための許可を要求するものである。図４Ｂのステップ２５０には、共存発見情報サーバ（ＣＤＩＳ）１０７が、トランスファー無線ネットワークＡ１に対するリソース割当てのための権限を移譲する許諾を、選択された候補ネットワークコントローラＣＭ＿Ｃから受信することが図示されている。本発明の例示的実施形態では、ステップ２５２において、共存発見情報サーバ（ＣＤＩＳ）１０７は、さらに共存マネージャＣＭ＿Ａに通知を送信し、トランスファー無線ネットワークＡ１に対するリソース割当てのための権限を放棄することが図示されている。
【００８５】
図５Ａは、図１Ａの本発明の例示的な実施形態による例示的なシステムアーキテクチャである。図５Ａには、共存発見情報サーバ（ＣＤＩＳ）が図示されている。本発明の例示的な実施形態では、ＣＤＩＳは、ネットワークコントローラ又は共存マネージャＣＭ＿Ａからのリクエストを受信し、共存マネージャＣＭ＿Ａが機能するトランスファー無線ネットワークＡ１に対するリソース割当ての権限移譲をする候補共存マネージャを選択する。図５において、ＣＤＩＳは使用可能な隣接ネットワークのアドレス、及び隣接共存マネージャＣＭ＿Ｂ及びＣＭ＿Ｃのアドレスを取得し、さらに、共存マネージャＣＭ＿Ａが機能するトランスファー無線ネットワークＡ１に対するリソース割当ての権限移譲をするために候補共存マネージャの選択を決定する際の根拠として、トランスファー無線ネットワークＡ１の共存セットの中の、無線ネットワークＢ１、Ｃ１、及びＣ２のネイバーの拡張共存セットの中の、無線ネットワークＤ１及びＥ１の識別情報を、隣接する共存マネージャＣＭ＿Ｂ及びＣＭ＿Ｃからリクエストしている。
【００８６】
図５Ａ及び図５Ｂは、共存発見情報サーバ（ＣＤＩＳ）１０７がこの目的を達成することができる、いくつかの例示的ステップを示している。ステップ260において、共存マネージャＣＭ＿Ａは、共存マネージャＣＭ＿Ａ自身の権限を別の共存マネージャに移譲するため、共存発見情報サーバ（ＣＤＩＳ）１０７にリクエストを送信する。ステップ262において、共存発見情報サーバ（ＣＤＩＳ）１０７は、無線ネットワークＡ１の隣接無線ネットワークの識別情報を確認する。無線ネットワークＢ１、Ｃ１、Ｃ２は互いに干渉し合い、またはトランスファー無線ネットワークＡ１によって干渉される場合がある。したがって、隣接する無線ネットワークは、共存セットＡ内の無線ネットワークＢ１、Ｃ１、Ｃ２である。ステップ264には、共存発見情報サーバ（ＣＤＩＳ）１０７が、使用可能な隣接共存マネージャＣＭ＿Ｂ及びＣＭ＿Ｃのアドレスを知っていることが図示されている。これら隣接共存マネージャＣＭ＿Ｂ及びＣＭ＿Ｃは、共存セットＡ内で隣接する無線ネットワークＢ１、Ｃ１、Ｃ２のために機能する。本発明の例示的実施形態では、図５Ａのステップ266において、共存発見情報サーバ（ＣＤＩＳ）１０７が示されている。さらに、この共存発見情報サーバ（ＣＤＩＳ）１０７は、ＣＭネットワーク１０６及びインターネット１０５を介して隣接共存マネージャＣＭ＿Ｂ及びＣＭ＿Ｃから、トランスファー無線ネットワークＡ１の共存セットＡ内にある無線ネットワークＢ１、Ｃ１、Ｃ２のネイバーの拡張共存セットＡ'内にある、無線ネットワークＤ１及びＥ１の識別情報をリクエストする。
【００８７】
図４Ｂは、図４Ａの本発明の例示的な実施形態による例示的なシステムアーキテクチャである。図４Ｂには、共存発見情報サーバ（ＣＤＩＳ）１０７が図示されている。本発明の例示的な実施形態では、ＣＤＩＳは選択された候補ネットワークコントローラＣＭ＿Ｃにリクエストを送信し、トランスファー無線ネットワークＡ１に対するリソース割当ての権限移譲をする。このリクエストは１つ以上の選択基準に基づいている。ステップ２６８において、共存発見情報サーバ（ＣＤＩＳ）１０７は１つの選択基準を用い、共存セット"Ａ"及びさらに拡張共存セット"Ａ'"の中で最も多くの無線ネットワークのために機能している候補共存ネットワークコントローラＣＭ＿Ｃを選択する。この共存マネージャＣＭ＿Ｃは、共存セットＡ内の２つの無線ネットワークＣ１及びＣ２、並びに拡張共存セットＡ'内のもう１つの無線ネットワークＥ１のために機能している。一方、共存マネージャＣＭ＿Ｂは、共存セットＡ内の１つの無線ネットワークＢ１、及び拡張共存セットＡ'内のもう１つの無線ネットワークＥ１のために機能する。よって、上記選択基準に基づくと、共存マネージャＣＭ＿Ｃが選択される。本発明の例示的実施形態では、図５Ｂのステップ270において、選択基準に基づいて選択された候補ネットワークコントローラＣＭ＿Ｃに対し、トランスファー無線ネットワークＡ１に対するリソース割当てのための権限移譲をするための要求メッセージを送信することが示されている。図５Ｂのステップ272には、共存発見情報サーバ（ＣＤＩＳ）１０７が、トランスファー無線ネットワークＡ１に対するリソース割当てのための権限を移譲する許諾を、選択された候補ネットワークコントローラＣＭ＿Ｃから受信することが図示されている。さらに、本発明の例示的実施形態では、ステップ274において、共存発見情報サーバ（ＣＤＩＳ）１０７が共存マネージャＣＭ＿Ａに通知を送信し、トランスファー無線ネットワークＡ１に対するリソース割当てのための権限を放棄することが図示されている。
【００８８】
図６Ａは、本発明に従う非限定的な例示的な周波数帯域のダイアグラムである。図６Ｂに示されるような、米国バージニア州リッチモンドのテレビ放送チャネル７，８，９，１０，１１を表す１７４‐２０４ＭＨｚ帯で有ライセンスのテレビ事業者が局所的に使用していないテレビ帯ホワイトスペースの中の、本発明のある実施形態従うＴＤＭＡ共存フレームサブ帯域２８の例を描いている。本発明の例示的実施形態では、さらなるリソースを要求しているネットワークの共存についての二次的使用としてこれらの帯域へのライセンス不要のアクセスを行うことは、要求しているネットワークの地理的位置や送信出力、範囲、送信帯域に関する制限を含むかもしれない。
【００８９】
非限定的な例として、802.11ＷＬＡＮ標準は、２．４００−２．５００ＧＨｚのＩＳＭ帯域における動作と、５ＧＨｚのＩＳＭ帯域における動作のための周波数を規定しており、ＩＥＥＥ802.11ａｄは非常に高速なスループットのための６０ＧＨｚ帯を規定している。802.11ＷＬＡＮ標準は、ＯＦＤＭ技術に基づく、２０ＭＨｚチャンネルセパレーションを有する物理層を規定している。チャンネルの中心から１１ＭＨｚ離れたところでは、エネルギーは、最大信号レベルからおよそ２０ｄＢ低くなっている。中心周波数からさらに離れると、エネルギーレベルはさらに下がり、隣接チャンネルとの干渉は非常に小さくなる。５４‐８８MHz及び４０７‐８０６MHzのテレビ帯ホワイトスペースは、802.11ＷＬＡＮの無線LANチャンネルとの共存のための優れた候補である。地上局から衛星への周波数に関する２．０２５ＧＨｚから２．１１０ＧＨｚのホワイトスペーススペクトルも、802.11ＷＬＡＮの無線LANチャンネルとの共存のための優れた候補である。米国バージニア州リッチモンド地域でそうであるように、テレビ放送チャネル７，８，９，１０，１１を表す１７４‐２０４ＭＨｚ帯で有ライセンスのテレビ事業者が局所的に使用していないテレビ帯ホワイトスペースも、０２．１１ＷＬＡＮの無線LANチャンネルとの共存のための優れた候補である。
【００９０】
図６Ａは、ＲＦスペクトルにおけるホワイトスペースの位置の非限定的な例、及び、ホワイトスペーススペクトルにおけるＴＤＭＡ共存フレームの例を示したものであり、いずれかのネットワークがスロットを割り当てる前の、自由に使用可能な時間スロットを示している。このホワイトスペースは、ＦＣＣの専用テレビ帯ホワイトスペースである５４‐８８MHz帯、ＦＣＣの専用テレビ帯ホワイトスペースである４７０‐８０６MHz帯、２．０２５ＧＨｚから２．１１０ＧＨｚの中で局所的に使用されていない地上局‐衛星ホワイトスペーススペクトルを含む。
【００９１】
本発明の例示的実施形態において、２つ又はそれ以上の、独立して動作するワイヤレスネットワークまたはデバイスであってテレビ帯ホワイトスペース周波数帯域に適した様々な無線技術を使用するネットワークまたはデバイスが、互いに干渉することなく同じ地理的位置で同じテレビ帯ホワイトスペース周波数帯域にアクセスするための、様々なＴＶＷＳ共存技術が存在する。共存技術のいくつかの例をあげると、動的な周波数選択、送信出力制御、ＬＢＴ（listen-before-talk）、時分割多重の様々なIEEE802技術、メッセージに基づくオンデマンドのスペクトル衝突、中央集権型のネットワークコントローラ又は共存マネージャを通じた制御などがある。
【００９２】
図６Ｂは、米国バージニア州リッチモンド地域の地図にテレビ放送チャンネル７，８，９，１０，１１のカバー範囲を重ねた例である。図６Ａに描かれるように、１７４‐２０４MHz帯において有ライセンスの放送事業者が使用していない、局所的に利用可能なテレビ帯ホワイトスペースが描かれている。バージニア州リッチモンドの都市を囲む直径１６０kmの円形の領域内で、テレビチャンネル７，８，９，１０，１１にテレビ放送が存在する都市が、次の表に示されている。図６Ｂの地図は、１７４‐２０４MHz帯において有ライセンスのテレビ放送事業者によってカバーされていない領域を示しており、したがってそこでは局所的に利用可能なテレビ帯ホワイトスペースが存在する。
0005940219.tif 000002
【００９３】
図7Aは、本発明の例示的実施形態に従う機能ブロック図であり、例示的なマスタＷＳＤ９デバイスがワイヤレスデバイスのためのコントロールノード又は共存イネーブラ118を含むことが描かれている。本発明の例示的実施形態において、このデバイスは、隣接する無線ネットワークにおいて事業を行っている優先ユーザ電波が存在しないかもしれない、ＴＶＷＳ（テレビ帯ホワイトスペース）共存帯域又は更なるＲＦスペクトル帯域で動作するように構成されてもよい。
【００９４】
本発明の例示的実施形態において、マスタWSD９は、無線プロトコルスタック１２８や、IEEE802.11 MACプロトコルスタック１４２を含むプロトコルスタックを備える。これらはIEEE802.11WLAN標準に従うものであってもよい。MAC１４２は、テレビ帯ホワイトスペース機能を搭載している。上記のプロトコルスタックは、ネットワークレイヤ１４０やトランスポートレイヤ１３８、アプリケーションプログラム１３６を含んでもよい。例示的なマスタWSD９はプロセッサ１３４を備える。プロセッサ１３４は、デュアルコアやマルチコアのCPUであるCPU_1及びCPU_2や、RAMメモリおよびROMメモリを備えてもよく、また、キーパッドやディスプレイなどの入出力デバイスのためのインタフェースを備えてもよい。マスタWSD９の地理的位置を特定するために、GPSのような位置センサ１３２が備えられてもよく、WSD９の地理的位置は、ネットワークコントローラ又は共存マネージャCM_Ａに報告される。共存イネーブラ118は、共存マネージャCM_Aにリソース要求を送信してもよい。MAC１４２は、共存マネージャCM_Aに再割当を受けたテレビ帯ホワイトスペースの中の帯域のチャンネルで無線スタック１２８を使用して、互いに干渉することなく、テレビ帯ホワイトスペースで通信を行なう機能を搭載している。スペクトルセンサ１３０は、マスタWSD９の電磁波環境を測定し、それを共存マネージャCM_Ａに報告する。
【００９５】
本発明の例示的実施形態において、図７Cの地理的位置データベース２００が、インターネット１０５を介して、許可された送信レベルの情報を共存マネージャCM_Aと通信してもよい。CM_Aは、許可された送信レベルの情報を、インターネット１０５を介してマスタWSD９の共存イネーブラ118に転送してもよい。
【００９６】
本発明の例示的実施形態において、マスタWSD９は、スペクトル復号ロジック１３３を備えてもよい。入力データが正しく相関されていないと、OFDM信号の方形パルスは位相において非連続となり、パワースペクトル上で、周波数の変化と共に漸近的に減少する大きなサイドローブが発生する。かかる大きなサイドローブは隣接するチャネルに強い干渉を引き起こすので、送信の前に抑制されねばならない。スペクトル事前処理（precoding）は、システムエラーに関するパフォーマンスや実装の複雑さといったトレードオフなしに、サイドローブのパワーを効率的に抑制する能力を有する。スペクトル事前処理によって、特定のデータ値を用いることなく、周波数ドメインにおいてデータシンボルを事前処理することにより、サイドローブの著しい抑制を達成することができる。固定的な事前処理マトリクスによってデータシンボルを相関させるというアイディアを導くものであって、それによって、スペクトル的に事前処理されたODFM信号の方形パルスには、漸近的に減少するパワースペクトルのサイドローブが極めて少ししか存在せず、従って高いスペクトル効率を示すようにする。スペクトル事前処理は全て可逆であり、従って受信機において、システムエラーに対する良好な特性を提供しつつも、実現可能な復号処理を可能にする。スペクトル復号器の例が、Char-Dir Chung著"Spectral Precoding for Constant-Envelope OFDM", IEEE Transactions on Communications, vol. 58, no. 2, 2010年2月2日，555-567頁に記載されている。
【００９７】
本発明の例示的実施形態において、図7Aのインタフェース回路は一つ又は複数の無線送受信機やバッテリ等の電力源、キーパッド、タッチスクリーン、ディスプレイ、マイクロホン、スピーカ、イヤーピース、カメラ等のイメージングデバイスなどについてインタフェースを提供してもよい。RAMやROMは着脱可能なメモリ装置であってもよく、例えば図１０に描かれるように、スマートカードやSIMカード、無線識別モジュール（WIM）、RAMやROM、PROM、フラッシュメモリのようなものであってもよい。プロセッサプロトコルスタック層、及び／又はアプリケーションプログラムは、RAM及び／又はROMに格納されたプログラムロジックとして具現化されてもよい。そのようなプログラムロジックは、CPUで実行されると例示的実施形態の機能を実行するようにプログラムされた命令のシーケンスのような形を有している。そのようなプログラムロジックは、内蔵メモリデバイスやスマートカード等の着脱自在なメモリデバイスのようなコンピュータ使用可能な形態で、コンピュータプログラム製品又は製造品から、コントロールノード又は共存イネーブラや共存マネージャの書き込み可能なRAMやPROM、フラッシュメモリへ届けられてもよい。別の例では、これらはプログラムロジックアレイや専用デザインのASICのような形態の集積回路ロジックとして具現化されることができる。デバイスの一つ又は複数の無線回路は独立した送受信回路であってもよく、又は、一つ又は複数の無線回路が単一のRFモジュールをなしてもよい。このモジュールは、プロセッサに応答して高速の時間多重又は周波数多重方式のチャネルを扱うことができてもよい。
【００９８】
本発明の例示的実施形態において、図7AのマスタWSD９はプロセッサ１３４を含むが、これは、処理の最中にプログラムコードやデータを格納するために、ランダムアクセスメモリRAM及び／又はリードオンリーメモリROMにアクセスしてもよい。RAMやROMは、通常、着脱自在型や内蔵型のメモリを含んでもよく、静的又は動的モードで動作することができてもよい。また、RAMやROMはフラッシュメモリやEPROM、EEPROMのような書換可能なメモリを含んでもよい。着脱自在な記憶メディアの例が図10の符号１２６で示されており、それには、磁気的，電子的，光学的ないずれかの技術に基づくものが含まれており、例えば、磁気ディスクや光ディスク、半導体記憶回路装置、マイクロSDカードが含まれている（SDはSequre Degital標準を表している）。コードは、コンピュータ実行可能な命令を含む、如何なるインタープリタ型又はコンパイル型のコンピュータ言語を含んでもよい。コード及び／又はデータはオペレーティングシステムや通信ユーティリティ、ユーザインタフェース、高度に特定目的化されたプログラムモジュールなどのソフトウェアモジュールを形成するために使用されてもよい。
【００９９】
図7Bは、本発明の例示的実施形態に従う機能ブロック図であり、例示的なスレーブＷＳＤ１０が描かれている。本発明の例示的実施形態において、このデバイスは、隣接する無線ネットワークにおいて事業を行っている優先ユーザ電波が存在しないかもしれない、ＴＶＷＳ（テレビ帯ホワイトスペース）共存帯域又は更なるＲＦスペクトル帯域で動作するように構成されてもよい。
【０１００】
本発明の例示的実施形態において、スレーブWSD１０は、無線プロトコルスタック１２８や、IEEE802.11 MACプロトコルスタック１４２を含むプロトコルスタックを備える。これらはIEEE802.11WLAN標準に従うものであってもよい。MAC１４２は、テレビ帯ホワイトスペース機能を搭載している。上記のプロトコルスタックは、ネットワークレイヤ１４０やトランスポートレイヤ１３８、アプリケーションプログラム１３６を含んでもよい。例示的なスレーブWSD１０はプロセッサ１３４を備える。プロセッサ１３４は、デュアルコアやマルチコアのCPUであるCPU_1及びCPU_2や、RAMメモリおよびROMメモリを備えてもよく、また、キーパッドやディスプレイなどの入出力デバイスのためのインタフェースを備えてもよい。スレーブWSD10の地理的位置を特定するために、GPSのような位置センサ134が備えられてもよく、スレーブWSD10の地理的位置は、ネットワークコントローラ又は共存マネージャCM_Aに報告される。MAC１４２は、共存マネージャCM_Aに再割当を受けたテレビ帯ホワイトスペースの中の帯域のチャンネルで無線スタック１２８を使用して、互いに干渉することなく、テレビ帯ホワイトスペースで通信を行なう機能を搭載している。スペクトルセンサ１３０は、スレーブWSD１０の電磁波環境を測定し、それをマスタWSDに報告する。マスタWSDはさらなる処理及び共存マネージャCM_Ａへ届けてもらうために共存イネーブラにそれを報告してもよい。
【０１０１】
本発明の例示的実施形態において、地理的位置データベース２００が、インターネット１０５を介して、許可された送信レベルの情報を共存マネージャCM_Ａと通信してもよい。CM_Aは、許可された送信レベルの情報を、マスタWSD９の共存イネーブラ118およびマスタWSD９そのものを介して、スレーブWSD１０に転送してもよい。
【０１０２】
本発明の例示的実施形態において、図7Bのインタフェース回路は一つ又は複数の無線送受信機やバッテリ等の電力源、キーパッド、タッチスクリーン、ディスプレイ、マイクロホン、スピーカ、イヤーピース、カメラ等のイメージングデバイスなどについてインタフェースを提供してもよい。RAMやROMは着脱可能なメモリ装置であってもよく、例えば図１０に描かれるように、スマートカードやSIMカード、WIM、RAMやROM、PROM、フラッシュメモリのようなものであってもよい。プロセッサプロトコルスタック層、及び／又はアプリケーションプログラムは、RAM及び／又はROMに格納されたプログラムロジックとして具現化されてもよい。そのようなプログラムロジックは、CPUで実行されると例示的実施形態の機能を実行するようにプログラムされた命令のシーケンスのような形を有している。そのようなプログラムロジックは、内蔵メモリデバイスやスマートカード等の着脱自在なメモリデバイスのようなコンピュータ使用可能な形態で、コンピュータプログラム製品又は製造品から、コントロールノード又は共存イネーブラや共存マネージャの書き込み可能なRAMやPROM、フラッシュメモリへ届けられてもよい。別の例では、これらはプログラムロジックアレイや専用デザインのASICのような形態の集積回路ロジックとして具現化されることができる。デバイスの一つ又は複数の無線回路は独立した送受信回路であってもよく、又は、一つ又は複数の無線回路が単一のRFモジュールをなしてもよい。このモジュールは、プロセッサに応答して高速の時間多重又は周波数多重方式のチャネルを扱うことができてもよい。
【０１０３】
本発明の例示的実施形態において、図7BのスレーブWSD１０はプロセッサ１３４を含むが、これは、処理の最中にプログラムコードやデータを格納するために、ランダムアクセスメモリRAM及び／又はリードオンリーメモリROMにアクセスしてもよい。RAMやROMは、通常、着脱自在型や内蔵型のメモリを含んでもよく、静的又は動的モードで動作することができてもよい。また、RAMやROMはフラッシュメモリやEPROM、EEPROMのような書換可能なメモリを含んでもよい。着脱自在な記憶メディアの例が図10の符号１２６で示されており、それには、磁気的，電子的，光学的ないずれかの技術に基づくものが含まれており、例えば、磁気ディスクや光ディスク、半導体記憶回路装置、マイクロSDカードが含まれている。コードは、コンピュータ実行可能な命令を含む、如何なるインタープリタ型又はコンパイル型のコンピュータ言語を含んでもよい。コード及び／又はデータはオペレーティングシステムや通信ユーティリティ、ユーザインタフェース、高度に特定目的化されたプログラムモジュールなどのソフトウェアモジュールを形成するために使用されてもよい。
【０１０４】
図７Ｃは、本発明のある実施形態に従う例示的なネットワークダイアグラムであり、本発明の例示的実施形態に従い、コントロールノード又は共存イネーブラ118が、ネットワークコントローラ又は共存マネージャCM_Aと、バックホール有線回線及び／又はインターネットリンクを介して通信することが描かれている。本発明のある例示的実施形態では、共存マネージャCM_Aは、地理的位置データベース２００及び共存ネットワーク要素CDIS（coexistence discovery and information server）１０７とインターネット１０５を介して通信する。
【０１０５】
本発明の例示的実施形態では、WSD９のようなマスタWSDは、地理的位置データベース２００に利用可能なスペクトルについてクエリを送信してもよい。データベース２００は特定の内部構造を有してもよく、例えば、ここで説明される機能を実行するためのプロセッサやメモリ、ソフトウェア／ハードウェアモジュールのような形態の機能ブロックを有していてもよい。このようなブロックは、例えば、スペクトル情報、送信の特性、許される動作パラメータのような情報を送信したり受信したりしてもよい。マスタWSD９は、IEEE802.11上のその通常の通信において、IEEE802.11無線LAN（WLAN）プロトコルを使用するが、TVWSリンク２，３，４上でホワイトスペーススペクトルの通信を行う機能も有している。地理的位置データベース２００から返送される情報は、マスタＷＳＤ９、その動作領域における関連するスレーブＷＳＤ１０の両方について、ホワイトスペーススペクトルで動作することを可能にする。TVWSを使用する別の理由もある。例えば優れた伝送特性である。WLANには、通常の通信媒体（例えば２．４GHｚや５GHｚ）が普通利用可能であるが、TVWSについては優先ユーザのためにどこでも使用可能であるという訳ではないだろう。
【０１０６】
図８は、本発明のある実施形態に従う例示的なフローダイアグラム６００であり、無線ネットワークＡ１に対してリソース割当ての権限移譲をするサービング・ネットワークコントローラＣＭ＿Ａにおける処理ステップのフローダイアグラムである。図８のフローダイアグラム600のステップは、マスターホワイトスペースデバイスのＲＡＭ及び／又はＲＯＭに格納されたコンピュータコード命令を表してもよく、そのような命令は、中央演算ユニット（ＣＰＵ）に実行されることにより、本発明の例示的実施形態の機能を実行する。これらのステップは描かれているものとは別の順序で実行されることがあり、複数のステップが結合されたり、あるステップがさらなる要素的なステップに分離されたりする場合もある。
【０１０７】
ステップ６０２：サービング・ネットワークコントローラのサービスを受ける無線ネットワークに対するリソース割当てのための権限を、サービング・ネットワークコントローラから移譲する候補ネットワークコントローラを、装置によって選択すること。この候補ネットワークコントローラの選択は、１つ以上の選択基準に基づいており、この選択基準には候補ネットワークコントローラのサービスを受ける１つ以上の無線ネットワークの特性が含まれている。
【０１０８】
ステップ６０４：装置によって、選択された候補ネットワークコントローラにリクエストを送信し、１つ以上の選択基準に基づいて無線ネットワークに対するリソース割当てのための権限移譲を行う。
【０１０９】
ステップ６０６：選択された候補ネットワークコントローラが権限を受け取ることを示した場合、装置は、サービング・ネットワークコントローラに、無線ネットワークに関するリソース割当てのための権限を放棄させる。
【０１１０】
図9は、本発明の例示的実施形態に従う例示的な周波数帯域ダイアグラムの例であり、携帯機器通信周波数帯域のアップリンク部分における、ペアリングのない（unpairedの）ＴＤＤ周波数ホワイトスペース９００−９０５MHzにおけるサブ帯域１４'の中の例示的なＴＤＭＡ共存フレーム２４'を描いている。図9は、例示的な携帯デバイス周波数帯の周波数プランの例を描いたものであり、GSM（登録商標）の周波数プランと同様に、アップリック部分が８９０−９１５MHz、他のリンク部分が９３５−９６０MHzとなっている。図9に描かれた例示的な周波数プランにおいて、他のリンク部分における９４５−９５０MHzの間の５MHz帯は、緊急サービス帯などのような他の用途に予約されている。携帯デバイスシステムのTDD動作は、割り当てられるダウンリンク周波数に適合するアップリンク周波数を必要とするため、アップリンク部分には、ペアリングされていない周波数帯域が９００−９０５MHzに存在する。本発明の例示的実施形態によれば、ペアリングされていない帯域である９００−９０５MHzは共存帯域として使用することができる。図9は、携帯デバイス周波数帯のアップリンク部分におけるペアリングのない（unpaired）ＴＤＤ周波数ホワイトスペース３６の中のサブ帯域１４'の中の例示的なＴＤＭＡ共存フレーム２４'を示しており、これは、携帯電話基地局マスタデバイス及び携帯電話スレーブデバイスによって使用されてもよい。
【０１１１】
本発明の例示的実施形態では、マスタデバイスの動作領域内のマスタＷＳＤデバイス及びこれに関連するスレーブＷＳＤデバイスは、３ＧＰＰ（3rd Generation Partnership Project）標準規格を使用できる。セル方式の３ＧＰＰ標準規格は、第３世代（３Ｇ）、ＷＣＤＭＡ（登録商標）、ＨＳＰＡ（High Speed Packet Access）、ＬＴＥ（Long Term Evolution）、ＬＴＥ−Ａ（LTE Advanced）、ＩＭＴ−Ａ（International Mobile Telecommunications Advanced）を含む。マスタデバイス動作領域内のマスタＷＳＤデバイスとこれに関連するスレーブＷＳＤデバイスは、セルにおける通常の通信のために、これら標準規格のいずれも利用することができる。しかし、それらは、TVWSリンク６，７，８上のホワイトスペーススペクトル内での通信ができる。地理的位置データベースから返送される情報は、マスタＷＳＤと、その動作領域における関連するスレーブＷＳＤの両方について、ホワイトスペーススペクトルで動作することを可能にする。図9は、携帯デバイス周波数帯のアップリンク部分におけるペアリングのない（unpaired）ＴＤＤ周波数ホワイトスペース３６の中のサブ帯域１４'の中の例示的なＴＤＭＡ共存フレーム２４'を示しており、これは、セル技術に基づくマスタデバイスＷＳＤ及びセル技術に基づくスレーブデバイスＷＳＤによって使用されてもよい。例えば、キャリアアグリゲーション（Carrier Aggregation；CA）が利用可能である場合、ライセンスを有するメディアに加えてＴVWSをその目的のために使用してもよい。同様の例には、例えば小さな規模で運営されているセルのために実装されているローカルエリア技術を含む。そのようなセルには例えばホットスポットやピコセル、フェムトセルがあり、また、ホームノードB（HNB）やホームｅノードB（HeNB）などのホームノードがある。さらに、二次的ネットワークの統合ローカルノードは、IEEE技術と３GPP技術とを組み合わせたものから構成されていることができる。例えば、Wi-Fi機能を有するLTEホームｅノードB（LTE HeNB）である。
【０１１２】
図10は、本発明の例示的な実施形態を描いたものであり、磁気的、電子的、及び／又は光学的な技術に基づくリムーバブルな記憶メディア１２６が描かれており、本発明の少なくとも一つの実施形態に従うコンピュータプログラム製品の例として、データ及び／又はコンピュータプログラムコードを格納するための、例えば磁気ディスクや光ディスク、半導体記憶回路デバイスやマイクロＳＤメモリカードのようなリムーバブル記憶メディア１２６の例が描かれている。
【０１１３】
ソフトウェアやファームウェア、ハードウェア、及びこれらの組み合わせをプログラミングするための通常のプログラミング及び／又は工学技術を用いると共に、本明細書で提供される説明を用いることにより、上記の実施形態は、機械、処理、製品として実装されうる。
【０１１４】
結果として得られるプログラムはコンピュータ読み取り可能なプログラムコードを有し、内蔵メモリデバイス、スマートカード又は他の着脱可能な記憶デバイス、送信デバイスのような一つ又は複数の非一時的なコンピュータ使用可能なメディア上に具現化されることができ、それによって、上述の実施形態に従うコンピュータプログラム製品又は製造品を形成する。従って、本明細書で使用される"製造品（article of manufacture）"や"コンピュータプログラム製品（computer program product）"との用語は、如何なるコンピュータ使用可能な媒体においても一時的又は肯定的に存在することもできるコンピュータプログラムを包むものとして使用されることが意図されている。
【０１１５】
上述のように、記憶／格納装置は、ディスクや光学ディスク、スマートカードやSIM，WIMのような着脱可能な記憶デバイス、RAMやROM，PROMのような半導体メモリを含み、またこれらに限定されない。送信メディアは、無線通信ネットワークを介する送信、インターネット、イントラネット、電話／モデムに基づくネットワーク通信、有線／ケーブルによる通信ネットワーク、衛星通信、又はその他の固定的又は移動ネットワークシステム／通信リンクを含み、またこれらに限定されない。
【０１１６】
これまで特定の実施形態を開示してきたが、当業者は、本発明の範囲を逸脱せずにこれらの特定の実施形態に対して変形を施すことが可能であることを理解すべきである。
【図１Ａ】
0005940219.tif 000003
【図１Ｂ】
0005940219.tif 000004
【図１Ｃ】
0005940219.tif 000005
【図１Ｄ】
0005940219.tif 000006
【図１Ｅ】
0005940219.tif 000007
【図１Ｆ】
0005940219.tif 000008
【図２Ａ】
0005940219.tif 000009
【図２Ｂ】
0005940219.tif 000010
【図２Ｃ】
0005940219.tif 000011
【図３Ａ】
0005940219.tif 000012
【図３Ｂ】
0005940219.tif 000013
【図３Ｃ】
0005940219.tif 000014
【図４Ａ】
0005940219.tif 000015
【図４Ｂ】
0005940219.tif 000016
【図５Ａ】
0005940219.tif 000017
【図５Ｂ】
0005940219.tif 000018
【図６Ａ】
0005940219.tif 000019
【図６Ｂ】
0005940219.tif 000020
【図７Ａ】
0005940219.tif 000021
【図７Ｂ】
0005940219.tif 000022
【図７Ｃ】
0005940219.tif 000023
【図８】
0005940219.tif 000024
【図９】
0005940219.tif 000025
【図１０】
0005940219.tif 000026